【事件の表示】
　特願２００６−１７５０１１「低圧負荷演算制御方法及び装置」拒絶査定不服審判事件〔平成１８年１２月２１日出願公開、特開２００６−３４３３４０〕について、次のとおり審決する。
【結　論】
　本件審判の請求は、成り立たない。
【理　由】
１．手続の経緯
　
　本願は、平成１７年６月８日に出願した特願２００５−１６７７７４号（以下、「本願の原出願」という。）の一部を平成１８年６月２６日に新たな特許出願としたものであって、平成２１年９月１５日付けで手続補正（以下、「補正１」という。）がなされ、平成２１年１０月９日付け（送達日：平成２１年１０月２０日）で拒絶査定がなされ、これに対し、平成２２年１月２０日に拒絶査定不服審判の請求がなされるとともに、同時に手続補正（以下、「本件補正」という。）がなされたものである。
　
　その後、当審より平成２２年１２月９日付け審尋書により審尋をしたところ、請求人より平成２３年２月１４日付け回答書の提出があった。
　
２．本件補正についての補正却下の決定
　
［補正却下の決定の結論］
　
　本件補正を却下する。
　
［理由］
　
（１）補正の内容
ア　本件補正のうち、特許請求の範囲の請求項１についてした補正は、次のとおりである。
　
（本件補正前）
「発電機の負荷特性試験に関して、抵抗体バンク群を複数に分割するに際し、全抵抗体の電力容量を比較演算より上位から下位等級に順次漸減算出された各抵抗体バンクに分割、割り当てし、設定目標とする値の近似値をとるため上位から下位等級に亙り順次前記各抵抗体バンクのＯＮ／ＯＦＦの組合せを自動的に調整して加減算することにより、変動する負荷制御値を連続的に追従調整する低圧負荷演算制御方法であって、
　まず、電源装置に電力ケーブルを介して並列接続された前記抵抗体バンク群を複数（２〜Ｎ［Ｎは自然数］）に分割した後、当該抵抗体バンク群の全最大電力容量を２進法に基づき、２分の１から２ｎ−１分の１に相当する電力容量の上位から下位等級に順次漸減算出された値を分割された第１から第Ｎの各抵抗体バンクに割り当て、
　次に、前記各抵抗体バンクに接続された制御手段で、目標値とする負荷制御値を設定後、当該制御手段内の比較演算転送回路内の第１の演算手段にて、当該第１の演算手段に対応する第１の前記抵抗体バンクが保持する電力容量と、前記負荷制御値を比較し、当該負荷制御値が当該電力容量以上であれば、当該電力容量を当該負荷制御値から減算したものを残数値として、前記制御手段にて記憶保持するとともに第２の演算手段に残数値をアナログ転送し、前記第１の抵抗体バンクにＯＮ状態を示すディジタル信号を転送する一方、当該負荷制御値が当該電力容量以下であれば、当該負荷制御値を第２の演算手段にアナログ転送し、
　以下、前記第２の演算から第Ｎの演算まで、次上位の演算手段より受け取った前記残数値又は前記負荷制御値と、次下位等級の抵抗体バンクの電力容量とを順次比較してゆき、当該残数値が各対応する当該抵抗体バンクの電力容量以上であれば、当該電力容量を当該残数値からその都度減算し、次下位等級残数値として記憶保持し次下位等級の演算手段に当該下位残数値をアナログ転送するとともに、当該各第２から第Ｎの演算手段に各対応した前記抵抗体バンクに対し、ＯＮ状態を示すディジタル信号を転送する一方、前記次上位等級から受け取った前記残数値又は前記負荷制御値が前記下位等級の抵抗体バンクの前記電力容量以下であれば、当該次上位等級残数値を次下位等級残数値として次下位等級の演算手段にアナログ転送して逐次実施し、
　低圧負荷状態において、開閉頻度の高い小容量抵抗体バンクに対し半導体開閉手段を介し、抵抗体バンクの負荷を軽減させる、
　ことを特徴とする、低圧負荷演算制御方法。」
　
（本件補正後）　
「発電機の負荷特性試験に関して、抵抗体バンク群を複数に分割するに際し、全抵抗体の電力容量を比較演算より上位から下位等級に順次漸減算出された各抵抗体バンクに分割、割り当てし、設定目標とする値の近似値をとるため上位から下位等級に亙り順次前記各抵抗体バンクのＯＮ／ＯＦＦの組合せを自動的に調整して加減算することにより、
抵抗体バンクの収束にて
　まず、電源装置に電力ケーブルを介して並列接続された前記抵抗体バンク群を複数（２〜Ｎ［Ｎは自然数］）に分割した後、当該抵抗体バンク群の全最大電力容量を２進法に基づき、２分の１から２ｎ−１分の１に相当する電力容量の上位から下位等級に順次漸減算出された値を分割された第１から第Ｎの各抵抗体バンクに割り当て、
　次に、前記各抵抗体バンクに接続された制御手段で、目標値とする負荷制御値を設定後、当該制御手段内の比較演算転送回路内の第１の演算手段にて、当該第１の演算手段に対応する第１の前記抵抗体バンクが保持する電力容量と、前記負荷制御値を比較し、当該負荷制御値が当該電力容量以上であれば、当該電力容量を当該負荷制御値から減算したものを残数値として、前記制御手段にて記憶保持するとともに第２の演算手段に残数値をアナログ転送し、前記第１の抵抗体バンクにＯＮ状態を示すディジタル信号を転送する一方、当該負荷制御値が当該電力容量以下であれば、当該負荷制御値を第２の演算手段にアナログ転送し、
　以下、前記第２の演算から第Ｎの演算まで、次上位の演算手段より受け取った前記残数値又は前記負荷制御値と、次下位等級の抵抗体バンクの電力容量とを順次比較してゆき、当該残数値が各対応する当該抵抗体バンクの電力容量以上であれば、当該電力容量を当該残数値からその都度減算し、次下位等級残数値として記憶保持し次下位等級の演算手段に当該下位残数値をアナログ転送するとともに、当該各第２から第Ｎの演算手段に各対応した前記抵抗体バンクに対し、ＯＮ状態を示すディジタル信号を転送する一方、前記次上位等級から受け取った前記残数値又は前記負荷制御値が前記次下位等級の抵抗体バンクの前記電力容量以下であれば、当該次上位等級残数値を次下位等級残数値として次下位等級の演算手段にアナログ転
送するとともに
前記制御手段にて、負荷試験中に目標値とする負荷制御値と現在の負荷制御値との比較を行いつつ、前記第１から第Ｎまでの演算を逐次繰り返すことにより、高精度な負荷制御値を維持し、
　ことを特徴とする、低圧負荷演算制御方法。」（下線は、補正箇所を明示するために請求人が付した。）
　
イ　また、本件補正のうち、特許請求の範囲の請求項５についてした補正は、次のとおりである。
　
（本件補正前）　
「発電機の負荷特性試験に関して、抵抗体バンク群を複数に分割するに際し、全抵抗体の電力容量を比較演算で上位から下位等級に順次漸減算出された各抵抗体バンクに分割、割り当てし、設定目標とする負荷制御値の近似値をとるため上位から下位等級に亙り順次前記各抵抗体バンクのＯＮ／ＯＦＦの組合せを自動的に選択して加減算出することにより、変動する負荷制御値を連続的に追従調整する低圧負荷演算制御装置であって、
　電源装置に接続した電力ケーブル端に並列接続した抵抗体バンクを２以上（２〜Ｎ［Ｎは自然数］）に分割するため、当該抵抗体バンク群の全電力容量を上位から下位等級に順次漸減算出して分割割り当てした複数の抵抗体バンクと、
当該抵抗体バンク群の各抵抗体バンクそれぞれに介接し、当該各抵抗体バンクのＯＮ／ＯＦＦの切換を行う開閉器と、
　設定された前記負荷制御値を記憶してアナログ転送する制御値記憶演算回路と、当該制御値記憶演算回路より転送されてきた当該負荷制御値と前記各第１から第Ｎの抵抗体バンクに対応した当該各抵抗体バンクと前記電力容量との比較、減算を行う第１から第Ｎに亙る逐次演算を実行するとともに、当該演算にて算出されたディジタル信号を各対応する前記開閉器に転送して開閉実行する比較演算転送回路とを有する制御器と、
　前記制御値記憶演算回路内に設定保持された負荷制御値に対して増加方向へ当該負荷制御値を変更させるアナログ値を発信するＵＰボタンと、減少方向へ当該負荷制御値を変更させるアナログ値を発信するＤＯＷＮボタンを有する押しボタンスイッチと、を具備し、
　低圧負荷環境下において、前記抵抗体バンク群内の下位電力容量を保持する複数の前記各抵抗体バンクに半導体開閉器を介設可能とする、
　ことを特徴とする低圧負荷演算制御装置。」
　
（本件補正後）　　
「発電機の負荷特性試験に関して、抵抗体バンク群を複数に分割するに際し、全抵抗体の電力容量を比較演算で上位から下位等級に順次漸減算出された各抵抗体バンクに分割、割り当てし、設定目標とする負荷制御値の近似値をとるため上位から下位等級に亙り順次前記各抵抗体バンクのＯＮ／ＯＦＦの組合せを自動的に選択して加減算出することにより、
抵抗体バンクの収束にて
　電源装置に接続した電力ケーブル端に並列接続した抵抗体バンクを２以上（２〜Ｎ［Ｎは自然数］）に分割するため、当該抵抗体バンク群の全電力容量を上位から下位等級に順次漸減算出して分割割り当てした複数の抵抗体バンクと、
　当該抵抗体バンク群の各抵抗体バンクそれぞれに介接し、当該各抵抗体バンクのＯＮ／ＯＦＦの切換を行う開閉器と、
　設定された前記負荷制御値を記憶してアナログ転送する制御値記憶演算回路と、当該制御値記憶演算回路より転送されてきた当該負荷制御値と前記各第１から第Ｎの抵抗体バンクに対応した当該各抵抗体バンク
の
を自動的に繰り返し
演算を逐次
　前記制御値記憶演算回路内に設定保持された負荷制御値に対して増加方向へ当該負荷制御値を変更させるアナログ値を発信するＵＰボタンと、減少方向へ当該負荷制御値を変更させるアナログ値を発信するＤＯＷＮボタンを有する押しボタンスイッチと、を具備し、
　低圧負荷環境下において、前記抵抗体バンク群内の下位電力容量を保持する複数の前記各抵抗体バンクに半導体開閉器を介設可能とする、
ことを特徴とする低圧負荷演算制御装置。」（下線は、補正箇所を明示するために請求人が付した。）
　
（２）新規事項違反について
　本件補正により、請求項１に係る発明は、「
抵抗体バンクの収束にて
前記制御手段にて、負荷試験中に目標値とする負荷制御値と現在の負荷制御値との比較を行いつつ、前記第１から第Ｎまでの演算を逐次繰り返すことにより、高精度な負荷制御値を維持
　
ア　当初明細書等の記載事項
　本件補正により導入された上記技術事項に関して、本願の願書に最初に添付した明細書、特許請求の範囲及び図面（以下、「当初明細書等」という。）には、その発明の詳細な説明の発明が解決しようとする課題に、次のとおり記載されている。
　
（ア）「【００１６】
　また、５００ｋｗのバンクに常温でスイッチを入れると金属抵抗体の温度係数により時間の経過とともに収束するという特徴があり、温度係数を仮に５％とした場合に、投入初期値が５２５ｋｗを示していたとしても、時間の経過とともに、５００ｋｗに収束するため、目標値に応じた組合せを数式上で算出し実行しても数分後には値が変化するため、後に追従調整を繰り返し行ったとしても実質的には目標値を持続することが不可能となる。
【００１７】
　さらに、試験運転の現場環境での調整を行うにはスライドトランス付近で調整を行う作業員と、負荷装置の操作を行う作業員の配置が必要になるが、ディーゼルエンジン駆動下では１２０ｄＢもの騒音が発生しているため、作業員同士の目標値の伝達が大変聞き取りづらいものとなり誤操作を引き起こす原因ともなる。」（段落【００１６】〜【００１７】）
　
（イ）「【００２１】
　ここにおいて、本発明の解決すべき主要な目的は、次の通りである。
【００２２】
　即ち、本発明の第１の目的は、工業用水を使用せずに負荷制御値に連続的に精度よく追従し、その値を持続できる低圧負荷演算制御方法及び装置を提供せんとするものである。
【００２３】
　本発明の第２の目的は、少量の開閉器のみで連続的に負荷を精度よく加減でき、また開閉器数の減少により製造コストを下げ、整備性を向上させる低圧負荷演算制御方法及び装置を提供せんとするものである。
【００２４】
　本発明第３の目的は、負荷制御値算出を自動化で行うことにより、人手によるバンクの組合せ計算から解放できる低圧負荷演算制御方法及び装置を提供せんとするものである。」（段落【００２１】〜【００２４】）
　
　当初明細書等の発明の詳細な説明には、課題を解決するための手段に次のとおり記載されている。
　
（ウ）「【００２６】
　本発明装置は、上記課題の解決に当たり、電源装置とを結ぶ電力ケーブルの途中に、電力計、地絡継電器、電圧計、電力計、電流計、主遮断機を具備させた負荷装置に接続する抵抗体バンクを複数（２〜Ｎ）に分割し、抵抗体バンク群の最大電力容量を２進数に基づき２分の１から２ｎ−１分の１に等級分割した電力容量を割り当て保持させた各抵抗体バンクに開閉器と制御器を介設し、当該制御器内には、負荷制御値を保持する制御値記憶演算回路と各等級の抵抗体バンクの電力容量値と上位等級で既に差引された負荷制御値を比較し、各抵抗体バンクに介設した開閉器に対してＯＮ／ＯＦＦ信号を転送する比較演算転送回路とを具備させる、低圧負荷演算制御手段を講じる特徴を有する。
【００２７】
　また、本発明方法は、負荷加減装置における抵抗体バンクを複数（２〜Ｎ）に等級分割しその抵抗体バンク群の全最大電力容量を２進数に基づいて２分の１から２ｎ−１分の１まで等級分割したものを、それぞれの抵抗体バンクに割り当て、制御値記憶演算回路よって設定された目標とする負荷制御値と各等級の抵抗体バンクに割り振られた電力容量値を比較演算転送回路によって比較及び等級毎に減算しながら、負荷制御値の近似値を示す各抵抗体バンクＯＮ／ＯＦＦの組合せを導き出す低圧負荷演算制御方法を講じる特徴を有する。」（段落【００２６】〜【００２７】）
　
  当初明細書等の発明の詳細な説明には、発明の効果に次のとおり記載されている。
　
（エ）「【００３７】
　本発明によれば、抵抗体バンクと比較転送演算回路を有する制御器の組合せにより、少数の開閉器で連続かつ高精度な負荷の加減が可能となる。
【００３８】
　また、バンクの組合せの選択自動化により、負荷制御値設定の高精度化と時間短縮化が可能となるため、操作時間の短縮を図ることが可能となる。
【００３９】
　さらに、自動化により、デジタル電力計を見ながらの押釦スイッチ操作以外作業員が選択組合せ操作を行う必要がなくなるため、人為的ミス等の誤操作も解消されるという優れた効果を奏する。」（段落【００３７】〜【００３９】）
　
　当初明細書等の発明の詳細な説明には、発明を実施するための最良の形態に次のとおり記載されている。
　
（オ）「【００４０】
　以下、本発明の最良形態である低圧負荷演算制御装置例及びこれに対応する低圧負荷演算制御方法につき順に説明する。」（段落【００４０】）
　
（カ）「【００５２】
　ここで低圧バンク群αＬは上記図１及び表２にて示したように、例えば、Ｎｏ１〜７として設定した抵抗体バンクα１からα７に対し最大電力容量である２０００ｋｗを７段階に２分の１分割した値を割り当て、それぞれの抵抗体バンクα１〜α７に低圧開閉器ＣＬを介して電源装置Ｇに電力ケーブルＰＣで接続する。
【００５３】
　さらに、図２の低圧負荷演算制御装置β１に対し制御器ＣＶを取り付けた例について図３に示す制御器ＣＶ、押しボタンスイッチＳＷの構成図と、図４の低圧負荷演算制御装置β２の構成に係る単線結線図を用いてその構成内容を説明する。
【００５４】
　図３は、抵抗体バンクα１〜α７にそれぞれ介設された低圧開閉器ＣＬに対し、ＯＮ／ＯＦＦのディジタル信号を転送する制御器ＣＶ及び制御器ＣＶと接続して負荷制御値の値を設定する押しボタンスイッチＳＷの構成図である。
　【００５５】
　同図に示すように、制御器ＣＶは、負荷の目標値とする負荷制御値を制御器ＣＶ内に記憶する制御値記憶演算回路ＭＣと、負荷制御値を視覚的に検分可能なデジタル数値でメモリ表示する制御値計測器ＭＶと、制御値記憶演算回路ＭＣに記憶された負荷制御値と各等級の抵抗体バンクαの電力容量との比較演算を自動的に繰り返しながら、負荷制御値に最も近い値を算出する抵抗体バンクα１〜α７のＯＮ／ＯＦＦの選択的組合せを導き出し、実際に抵抗体バンクα１〜７にＯＮ／ＯＦＦのディジタル信号として転送出力制御する比較演算転送回路ＯＣとを具備する。それに加え、図示しないボタン又はスイッチを比較演算を開始するトリガとして用いてもよい。」（段落【００５２】〜【００５５】）
　
（キ）「【００６０】
　（方法例）
　次に、本方法例として、上記装置例で述べたＮｏ１〜７までの抵抗体バンクに介設する開閉器、制御器を用いた各抵抗体バンクの電力容量と、負荷の目標値とする負荷制御値とを比較し、最も負荷制御値に近い値を算出することによりに自動的に各抵抗対バンクのＯＮ／ＯＦＦの制御を行う低圧負荷演算制御方法の一連の処理手順を説明する。
【００６１】
　まず、負荷特性試験を行う前に、制御器ＣＶに接続した押しボタンスイッチＳＷをのＵＰ／ＤＯＷＮボタンを押しながら値を増加／減少方向に変化させ、目標値とする負荷制御値を設定する。このとき、押しボタンスイッチＳＷのＵＰ／ＤＯＷＮボタンが押されるたびに、増加／減少方向への変更値は直接、制御器ＣＶにアナログ転送され、制御器ＣＶはＵＰ／ＤＯＷＮ信号を受け取る度に、負荷制御値を制御値記憶演算回路に保持し制御値計測器ＭＶに読み誤りの少ないデジタル表示する。従って、運転後は電力計Ｐの値と制御値計測器ＭＶの値とを目視確認して正常運転を確認し得る。
【００６２】
　負荷制御値の設定後、図示しないボタン又はスイッチにより比較演算の実行を促すと、制御値記憶演算回路ＭＣは比較演算転送回路ＯＣに設定した負荷制御値をアナログ転送する。
【００６３】
　比較演算転送回路ＯＣは、制御値記憶演算回路ＭＣから負荷制御値を受け取ると、等級分割された各抵抗体バンクα１〜α７へのＯＮ／ＯＦＦディジタル信号として転送するために、比較演算を開始する。
【００６４】
　各抵抗体バンクα１〜α７に対応する比較演算転送回路ＯＣ内の第１から第７等級までの演算手順は、表２に示す通りであり、目標値とする負荷制御値をバンク容量の大きいほうから比較し、繰り返し演算をして加算することによって、負荷制御値の設定を行う。
【００６５】
　　【表２】（省略）
【００６６】
　まず、図１の高圧説明対応で言えば、第２演算では、制御値（負荷制御値）とバンクＮｏ１、つまり２０００ｋｗの２分の１である１０００ｋｗとの大小の比較を行う。ここで、制御値の値が１０００ｋｗ以上である場合には、バンクＮｏ１の開閉器（低圧の場合では図４の低圧開閉器ＣＬを採用する）に対し、ＯＮのディジタル信号、反対に負荷制御値の値が１０００ｋｗに満たない場合はＯＦＦのディジタル信号を転送する。
【００６７】
　そして、ディジタル信号がＯＮのときは負荷制御値から２分の１の値を減算し、算出された値を残数値１として保持し、ＯＦＦ状態のときには制御値そのものを残数値１として保持して第２演算へアナログ転送する。
【００６８】
　以下、第２演算以降は第１演算と同様に、表２に示すようにＯＮ、ＯＦＦのディジタル信号を転送しながらバンクＮｏ１からバンクＮｏ７までのＯＮ／ＯＦＦの出力判断を行う。」（段落【００６０】〜【００６８】）
　
　上記記載（ア）ないし（キ）について検討する。
　
　上記記載（ア）には、５００ｋｗのバンクに常温でスイッチを入れると、金属抵抗体の温度係数により時間の経過とともに収束する旨が記載されており、抵抗体バンクの収束については認識されていたことがうかがえる。
　
　上記記載（イ）によると、本発明の解決すべき主要な目的として、負荷制御値算出を自動化し、負荷制御値に連続的に精度よく追従し、少量の開閉器のみで連続的に負荷を精度よく加減でき、その値を持続できる低圧負荷演算制御方法の実現が挙げられている。そして、上記記載（ウ）には、課題を解決するための手段として、負荷制御値と各等級の抵抗体バンクに割り振られた電力容量値を比較及び等級毎に減算しながら、負荷制御値の近似値を示す各抵抗体バンクＯＮ／ＯＦＦの組合せを導き出す旨の記載がある。
　上記記載（エ）には、少数の開閉器で連続かつ高精度な負荷の加減が、抵抗体バンクと比較転送演算回路を有する制御器の組合せにより可能となる旨の記載がある。
　したがって、上記記載（イ）ないし（エ）によると、負荷制御値への連続的な追従は、抵抗体バンクと比較転送演算回路を有する制御器の組合せで実現し、その組合せとは、具体的には、各抵抗体バンクＯＮ／ＯＦＦの組合せを指していると認められる。そして、ＯＮ／ＯＦＦの組合せにより得られるのは、そのような組合せの数に応じた、複数の抵抗値である。
　してみれば、上記記載（イ）ないし（エ）における、負荷制御値への「連続的」な「追従」も、各抵抗体のＯＮ／ＯＦＦの組合せから導かれる技術事項に基づくものであるから、当該記載における「連続的」な「追従」とは、各抵抗体の組合せによる抵抗値の値が目標とする負荷制御値へ、より精度良く近づくことを指していると認められる。
　　
　上記記載（オ）ないし（キ）には、本発明の最良形態である低圧負荷演算制御装置例及びこれに対応する低圧負荷演算制御方法について記載されている。そして、これらの記載によると、負荷制御を経時的に繰り返し行う思想は開示されておらず、単に負荷制御値の設定の中において、目標値とする負荷制御値をバンク容量の大きいほうから比較し、「繰り返し」演算をして加算することが記載されているにとどまると解するのが自然である。
　
　以上のように、上記記載（ア）ないし（キ）によると、抵抗体バンクの収束という経時的な現象については開示されていたと認められるものの、本件補正後の請求項１に係る発明の低圧負荷演算制御方法において、抵抗体バンクの収束という「経時的な」負荷制御値の変動に対して、自動的に抵抗体バンクのＯＮ／ＯＦＦの組合せを追従調整する技術思想までが開示されていたとは認められない。
　
　してみると、当初明細書等のすべての記載を総合することにより導かれる技術的事項は、「目標値とする負荷制御値と現在の負荷制御値との比較を行い、演算を逐次行うことにより、負荷制御値を連続的に追従調整し、高精度な負荷制御値を行う低圧負荷演算制御方法」にとどまるところ、本件補正により、「抵抗体バンクの収束にて変動する」負荷制御値を、「負荷試験中に」比較を行いつつ、演算を逐次「繰り返す」ことにより、高精度な負荷制御値を「維持する」、という新たな技術的事項が導入されることとなったものと認められる。
　
　なお、本願の原出願の当初明細書等の記載内容も、上記記載（ア）ないし（キ）と同じであり、本件補正は、本願の原出願の当初明細書等の記載を総合することにより導かれる技術的事項との関係においても、新たな技術的事項を導入するものである。
　
イ　請求人の主張
　本件補正に関して、請求人は、審判請求の理由の（３）本願発明が特許されるべき理由において、以下の（ア）ないし（ウ）のように述べている。
　
（ア）「本願発明の課題は、出願時の明細書の段落 
【００１６】 
に記載されているように、負荷試験中に、抵抗体バンクにスイッチを入れると時間の経過とともに収束方向へ向かうという金属抵抗体の特質から、目標となる負荷制御値を高い精度で維持することが困難な点であり、 
【００２２】 
〜 
【００２４】 
に記載のように負荷試験中においても実際の負荷制御値を目標値に近づけるように制御することが本願発明の目的である。 
　そこで本願発明では課題解決のために、負荷試験中においても、目標となる負荷制御値と実際の負荷制御値との誤差を検知し、その誤差に対応するために、制御器ＣＶを採用している。 
　出願時の明細書の段落 
【００５４】 
〜 
【００５７】 
に制御器ＣＶの具体的な技術内容が記載され、具体的な単線結線図が図３〜図５に表現されている。 
　制御器ＣＶは、目標となる負荷制御値を記憶する制御値記憶演算回路ＭＣ及び、現在の負荷制御値を視覚的に検分する制御値計測器ＭＶ並びに、現在の負荷制御値である抵抗体バンク群の電力容量と制御値記憶演算回路ＭＣに記憶された目標となる負荷制御値とを自動的に比較演算を繰り返しながら、目標となる負荷制御値に最も近い値を算出する抵抗体バンクの組み合わせを演算し、ＯＮ／ＯＦＦのディジタル信号にて転送する比較演算転送回路ＯＣと、から構成されている。 
　つまり、目標となる負荷制御値に一番近い抵抗体バンクαの各組み合わせを試験前に一度導き出すことはもちろんであるが、試験開始後、比較演算転送回路ＯＣは常に目標値の負荷制御値と実際の負荷制御値である抵抗体バンク群の電力容量を比較することにより、各抵抗体バンクαが収束した場合でも、即座に、現在の抵抗体バンクの電力容量の状況から、最も目標値に近い負荷制御値を算出するために第１から第Ｎまでの演算を繰り返し、適当な抵抗体バンクの組み合わせを導き出すことが可能となる。」
　
（イ）「本審判請求書と同時に提出する手続補正書の補正の根拠の明示をする。
　まず、請求項１においては、実際の負荷制御値が変動する原因が抵抗体バンクの収束にあることに限定し、「抵抗体バンクの収束にて変動する負荷制御値を連続的に追従調整する」と補正した。金属抵抗器の特質として負荷試験中に抵抗体バンクの値が収束することは当業者においては自明のことであるが、抵抗体バンクの値の変動によって負荷制御値が変動し、変動した抵抗体バンクの値から再度目標値に近い負荷制御値を導き出すという本願発明の特徴を強調するために、抵抗体バンクの収束を負荷制御値の変動の原因として限定した。 
　さらに、本願発明における比較演算が負荷試験中に実施されるものであること、また、制御手段（制御器ＣＶ）にて負荷試験中に、目標となる負荷制御値と実際の負荷制御値の比較をし、目標となる負荷制御値に最も近い抵抗体バンクαの組み合わせを常に導き出すという特徴を明確にするために請求項１に「アナログ転送するとともに、前記制御手段にて、負荷試験中に目標値とする負荷制御値と現在の負荷制御値との比較を行いつつ、前記第１から第Ｎまでの演算を逐次繰り返すことにより、高精度な負荷制御値を維持する」という記載を追加補正した。」
　
（ウ）「請求項１及び請求項５の補正は、出願時の明細書の段落 
 【００５５】 
　及び図３〜５に基づいて、上述した本願独自の特徴である、負荷試験中に、目標となる負荷制御値と実際の負荷制御値を比較しながら、実際の負荷制御値が抵抗体バンクの収束に影響なく目標となる負荷制御値に追従するという技術を請求項に盛り込んだ補正である。」
　
　また、本件補正は新規事項違反である旨の審尋に対する前記回答書において、請求人は以下の（エ）及び（オ）のように述べている。
　
（エ）「本願発明に係る出願時の明細書における［００１６］にあるように、金属抵抗器の特性として負荷試験中に抵抗体の値が収束傾向にある点が負荷試験実施の上での問題点の１つであり、また、段落［００１７］にあるように、収束により目標値より離れてしまった負荷制御値を、目標値に近づくように調整を行う場合、負荷装置近辺に調整作業を行う作業員が必要になるという点も解決すべき課題であります。」
　
（オ）「明細書に負荷試験中に連続的に追従するという直接的な記載はないものの、図４及び図５の単線結線図を見れば、本願発明は、負荷試験中も演算装置が稼働していることは自明であり、引用文献１及び２とは異なった効果をもたらすことは明らかであります。 
　本願発明の目的は、負荷試験中における精度の高い負荷制御値の設定であり、出願時の明細書に記載の装置構成や演算の手順及び図面に記載の配線図を見れば、本願発明において負荷試験実施中に、目標とする負荷制御値に実際の負荷制御値を近づけるために演算を繰り返していることは明らかであります。」
　
　上記（ア）ないし（オ）の記載内容を踏まえると、請求人は、上記補正箇所である「抵抗体バンクの収束にて変動する負荷制御値を連続的に追従調整する」及び「負荷試験中に目標値とする負荷制御値と現在の負荷制御値との比較を行いつつ、前記第１から第Ｎまでの演算を逐次繰り返すことにより、高精度な負荷制御値を維持する」旨の記載における、負荷制御値の連続的な追従調整や、演算の逐次繰り返しによる負荷制御値の維持は、負荷制御値の「経時的な」変化に対する、自動的な追従や維持として用いている旨を主張している。
　そして、本件補正の根拠となる当初明細書等の記載箇所として、段落【００１６】ないし【００１７】、段落【００２２】ないし【００２４】、及び段落【００５４】ないし【００５７】を挙げている。
　
　しかしながら、前記「２．（２）ア　当初明細書等の記載事項」で説示したとおり、段落【００１６】ないし【００１７】には抵抗体バンクの収束という経時現象に関する記述こそ認められるものの、段落【００２２】ないし【００２４】に記載された本願発明の目的には、抵抗体バンクの収束などの「経時的な」負荷制御値の変動に対して自動的に追従調整する旨の記載は無く、また、段落【００５４】ないし【００５７】に記載された発明を実施するための最良の形態においても、「経時的な」負荷制御値の変動に関する技術思想が開示されているとは認められない。
　したがって、審判請求書や回答書における請求人の主張は採用し得ない。
　
ウ　むすび
　以上のとおり、本件補正のうち特許請求の範囲の請求項１についてした補正は、当初明細書等の記載を総合することにより導かれる技術的事項との関係において、新たな技術的事項を導入するものであるから、本件補正は、当初明細書等の記載の範囲内においてしたものとはいえない。
　
　よって、本件補正は、平成１８年法律第５５号改正附則第３条第１項によりなお従前の例によるとされる同法による改正前の特許法第１７条の２第３項の規定に違反するものであるから、同法第１５９条第１項において読み替えて準用する同法第５３条第１項の規定により却下すべきものである。
　
（３）独立特許要件違反について
　以上のとおり、本件補正は新規事項違反を理由として却下すべきものであるが、本件補正後の発明に係る独立特許要件についても検討しておく。
　
　本件補正のうち特許請求の範囲の請求項５についてした補正は、前記「２．（１）イ」のとおりのものであるところ、この補正は、変動する負荷制御値を連続的に追従調整する構成において、負荷制御値の変動が、「抵抗体バンクの収束」によることを限定し、また、負荷制御値と抵抗体バンクの電力容量との比較、減算を行う第１から第Ｎに亙る逐次演算を実行する構成において、当該比較が「自動的に繰り返し」行われること、演算が「逐次」実行されることをそれぞれ限定したものであるから、特許請求の範囲の減縮を目的としたものである。
　そこで、本件補正後の請求項５に記載された発明（以下、「補正発明」という。）が特許出願の際独立して特許を受けることができるものであるかについて以下に検討する。
　
ア　補正発明について
　補正発明は、本件補正によって補正された明細書、特許請求の範囲及び図面の記載からみて、次のとおりのものであると認める。
　
「発電機の負荷特性試験に関して、抵抗体バンク群を複数に分割するに際し、全抵抗体の電力容量を比較演算で上位から下位等級に順次漸減算出された各抵抗体バンクに分割、割り当てし、設定目標とする負荷制御値の近似値をとるため上位から下位等級に亙り順次前記各抵抗体バンクのＯＮ／ＯＦＦの組合せを自動的に選択して加減算出することにより、抵抗体バンクの収束にて変動する負荷制御値を連続的に追従調整する低圧負荷演算制御装置であって、
　電源装置に接続した電力ケーブル端に並列接続した抵抗体バンク
群
　当該抵抗体バンク群の各抵抗体バンクそれぞれに介接し、当該各抵抗体バンクのＯＮ／ＯＦＦの切換を行う開閉器と、
　設定された前記負荷制御値を記憶してアナログ転送する制御値記憶演算回路と、当該制御値記憶演算回路より転送されてきた当該負荷制御値と前記各第１から第Ｎの抵抗体バンクに対応した当該各抵抗体バンクの前記電力容量との比較を自動的に繰り返し、減算を行う第１から第Ｎに亙る演算を逐次実行するとともに、当該演算にて算出されたディジタル信号を各対応する前記開閉器に転送して開閉実行する比較演算転送回路とを有する制御器と、
　前記制御値記憶演算回路内に設定保持された負荷制御値に対して増加方向へ当該負荷制御値を変更させるアナログ値を発信するＵＰボタンと、減少方向へ当該負荷制御値を変更させるアナログ値を発信するＤＯＷＮボタンを有する押しボタンスイッチと、を具備し、
　低圧負荷環境下において、前記抵抗体バンク群内の下位電力容量を保持する複数の前記各抵抗体バンクに半導体開閉器を介設可能とする、
ことを特徴とする低圧負荷演算制御装置。」（ここで、「電力ケーブル端に並列接続した抵抗体バンクを２以上」との記載は、「電力ケーブル端に並列接続した抵抗体バンク群を２以上」の誤記と認め、上記のとおり認定した。また、下線は当審で付した。）
　
イ　引用例記載の事項・引用発明１
　原査定の拒絶の理由に引用され、本願の原出願の出願日前に頒布された刊行物である特開２０００−１６２２９１号公報（以下、「引用例」という。）には、「負荷試験装置」（発明の名称）に関し、次の事項（ア）ないし（ク）が図１ないし８とともに記載されている。
　
（ア）「【発明の属する技術分野】本発明は負荷試験装置に係り、発電機の負荷試験装置に関する。」（段落【０００１】）
　
（イ）「【従来の技術】従来より、発電機に様々な試験負荷を与えて、発電機の発電性能を試験するために用いられる負荷試験装置は、通常、様々な抵抗値を有する多数の抵抗器が設けられている。発電機を試験する時には、その抵抗値の総和が試験対象の発電機に与える試験負荷値（抵抗値）と等しくなるように、これらの抵抗器を適宜選択して並列接続する。
【０００３】具体的には、これらの中から任意のものを選択して自在に並列接続できるように、各抵抗器を並列接続した回路を設け、この回路において各抵抗器に対応する電磁接触器を設け、さらに、各電磁接触器の開閉動作を制御する制御回路を設けている。くわえて、各電磁接触器を外部から開閉させるためのスイッチを各電磁接触器に対応して設けているので、これらのスイッチの操作により試験負荷値を形成するための抵抗器を選択できる。」（段落【０００２】〜【０００３】）
　
（ウ）「【課題を解決するための手段】上記の目的を達成するために、本発明においては、発電機の出力電圧が印加される複数の抵抗器と、前記複数の抵抗器のうち少なくとも１つを選択的に前記発電機に接続して、前記発電機の試験負荷を生成する負荷回路と、を有する負荷試験装置において、
【０００９】前記発電機の定格電圧値および定格電力値と、試験電力値または試験電流値と、を入力可能とする入力手段と、入力された前記定格電圧値および前記定格電力値と、前記試験電力値または前記試験電流値と、から前記試験負荷を生成するのに必要な試験抵抗値を算出し、前記複数の抵抗器から前記試験抵抗値を生成するのに必要な前記抵抗器を選択するとともに、選択結果を信号として出力する演算手段と、前記信号の入力により前記抵抗値を生成するのに必要な前記抵抗器を負荷回路に接続する制御回路と、を有することを特徴とする負荷試験装置としたものである。
【００１０】なお、演算手段において試験負荷を生成するのに必要な抵抗器を選択するのについては、例えば、（１）基本となる特定の電圧を印加したときの各抵抗器の電力値をあらかじめデータとして記憶手段に記憶させる、
（２）必要な試験負荷の値を前記基本電圧印加時の値に換算する、（３）換算試験負荷と、記憶してある前記各抵抗器の電力値データとを比較し、（４）電力値データのうち、当該換算試験負荷値より小さく、かつ最も大きな値
のものを選択し、（５）当該換算試験負荷値と選択された電力値データとの差を求め、（６）この差と、記憶してある前記各抵抗器の電力値データとを比較し、（７）電力値データのうち、この差より小さく、かつ最も大きな値のものを選択し、（８）当該換算試験負荷値とこの差との差を新たに算出することを繰り返して行き、（９）新たに算出された差よりも、電力値データのいずれもが大きい状態になった時点で比較を終了し、（１０）選択された各電力値データに対応する抵抗器を試験負荷形成のためのものとして選択する方式とすることが望ましい。
【００１１】また、上記の負荷試験装置において、前記入力手段は、前記負荷試験装置の前記入力手段以外の部分に対して別体に設けてなることを特徴とするものである。なお、入力手段は、負荷試験装置の操作の利便性を向上するために、負荷試験装置の本体部を直接操作することを可能とする別の入力手段を当該本体部に設けることが望ましい。また、入力手段は、数値入力等の操作を容易にするために、タッチパネルを有するものとすることが望ましい。また、別体に設けられる入力手段から負荷試験装置本体に操作信号を送信する手段は、無線通信、または有線通信のいずれの手段でも良い。」（段落【０００８】〜【００１１】）
　
（エ）「【作用】本発明は上記のように、発電機の出力電圧が印加される複数の抵抗器と、前記複数の抵抗器のうち少なくとも１つを選択的に前記発電機に接続して、前記発電機の試験負荷を生成する負荷回路と、を有する負荷試験装置において、前記発電機の定格電圧値および定格電力値と、試験電力値または試験電流値と、を入力可能とする入力手段と、入力された前記定格電圧値および前記定格電力値と、前記試験電力値または前記試験電流値と、から前記試験負荷を生成するのに必要な試験抵抗値を算出し、前記複数の抵抗器から前記試験抵抗値を生成するのに必要な前記抵抗器を選択するとともに、選択結果を信号として出力する演算手段と、前記信号の入力により前記抵抗値を生成するのに必要な前記抵抗器を負荷回路に接続する制御回路と、を有する構成にしたので、定格電圧値および定格電力値と、試験電力値または試験電流値とを入力手段に入力すれば、演算手段が自動的に試験負荷値を算出し、さらに、その試験において使用する抵抗器を自動的に選択してその結果を出力し、制御回路が出力された信号にしたがって負荷試験に必要な抵抗器を選択することが可能となる。」（段落【００１３】）
　
（オ）「【発明の実施の形態】以下に本発明に係る負荷試験装置の具体的な実施形態を図面を参照して詳細に説明する。図１は、本発明の実施形態の概略の回路図である。また、図２は、本発明の実施形態の本体部を示す図であり、（１）はその正面図であり、（２）はその右側面図である。また、図３は、本発明の実施形態の入力部を示す図であり、（１）はその正面図であり、（２）はその右側面図である。また、図４は、本発明の実施形態の抵抗器部分の回路図である。さらに、図５は、タッチパネルの表示状態の変移を示す図であり、（１）〜（６）はその変移に沿って表示状態を示した図である。図６は、タッチパネルの表示状態の変移を示す図であり、（１）〜（８）はその変移を時系列に従って示す図である。また、図７は、試験負荷の生成に用いられる抵抗器の選択手順を示すフロー図である。さらに、図８は、試験条件の設定手順を示すフロー図である。
【００１７】本発明の実施形態に係る負荷試験装置は、大別して、図２に示す負荷試験装置の本体部２と、図３に示すところの、本体部２とは別体として設けられる入力部３と、からなっている。本体部２は、図２（１）、（２）に示すように、筐体に後述する抵抗器や各種回路等を収納したものになっており、また、その移動を容易にするためにキャスタ２１が設けられている。さらに、本体部２においても、後述する方法により、試験対象となる発電機への負荷の投入が可能である。
【００１８】また、入力部３は、図３（１）、（２）に示すように、小型の箱状のものであり、移動が容易で、載置場所等の選択も容易である。また、図２（１）に示すように、発電機の試験にかかるデータの入力手段としてのタッチパネル３１とプログラマブル・コントローラ１３とが設けられており、さらに、タッチパネル３１の筐体の背面には、本体部２と電気的に接続するためのコネクタ３２が設けられており、ケーブル（図示せず）を介して本体部２と接続される。さらに、後述するように、入力部３１を操作することにより、試験対象となる発電機と本体部との間の電路の開閉操作を行うこともできる。
【００１９】また、本体部２と入力部３との電気的構成は、図１に示すように、負荷試験装置１のタッチパネル３１には、タッチパネル３１から入力されたデータを処理する演算手段としてのプログラマブル・コントローラ１３が接続されており、さらに、プログラマブル・コントローラ１３には、電磁接触器や、本体部２を冷却する冷却用ファン４等の動作を制御する電磁接触器等の制御回路１１に接続されている。電磁接触器等の制御回路１１は、電磁接触器Ｍ１〜Ｍ８の動作を制御可能に接続されている。さらに、電磁接触器Ｍ１〜Ｍ８は、試験用負荷として投入される抵抗器群Ｒ１〜Ｒ８と試験対象発電機６とを接続する電路を開閉するように設けらている。なお、電磁接触器等の制御回路１１および冷却用ファン４の電源としては、単相１００Ｖ、５０／６０Ｈｚの商用電源である冷却用ファン及び制御回路用電源５を利用する。これは、試験対象発電機６の定格電圧、周波数等が特定せず、冷却用ファン及び制御回路用電源として用いるのに適さないので、別途電源を確保する必要があることによる。
【００２０】また、抵抗器群Ｒ１〜Ｒ８の詳細な構成については、図４に示すように、三相交流発電機に対応するために、１つの抵抗器群は３つの抵抗器から、例えば、Ｒ１の抵抗器群はＲｒ１、Ｒｓ１、Ｒｔ１の３つの抵抗器（１）からなっている。これらの抵抗器（１）Ｒｒ１、Ｒｓ１、Ｒｔ１を始め、抵抗器（８）Ｒｒ８、Ｒｓ８、Ｒｔ８までの８つの群の抵抗器は、それぞれ抵抗値が等しいものになされており、例えば、Ｒｒ１、Ｒｓ１、Ｒｔ１のそれぞれの抵抗値をｒ1、ｓ1、ｔ1とすると、
ｒ1＝ｓ1＝ｔ1
の関係になる。
【００２１】また、抵抗器（１）から抵抗器（８）までの抵抗器は、それぞれの抵抗値をｒ1、ｒ2、ｒ3、ｒ4、ｒ5、ｒ6、ｒ7、ｒ8とすると、
６４ｒ1＝３２ｒ2＝１６ｒ3＝８ｒ4＝４ｒ5＝４ｒ6＝２ｒ7＝ｒ8
の関係が成り立つ構成としている。したがって、例えば、ある試験電力値において、抵抗器群Ｒ１の負荷値が０．２５ｋｗであるとすると、Ｒ２は０．５ｋｗ、Ｒ３は１ｋｗ、Ｒ４は２ｋｗ、Ｒ５およびＲ６は４ｋｗ、Ｒ７は８ｋｗ、Ｒ８は１６ｋｗとなり、これらを適宜組み合わせることによって多様な負荷を生成することができる。
【００２２】なお、ｒ1、ｒ2、ｒ3、ｒ4、ｒ5、ｒ6、ｒ7、ｒ8の関係はこれに限られるものではなく、細かい負荷設定ができるように、異なる抵抗値を有する抵抗器を組み合わせたものであれば良い。さらに、抵抗器群の数も８つに限られるものではなく、例えば、さらに微細な負荷調整が必要であれば、それに応じて抵抗器群の数を増やしても良い。」（段落【００１６】〜【００２２】）
　
（カ）「そこで、以上述べた実施形態によれば、まず、タッチパネル３１から試験対象発電機６の定格電力値（定格負荷）と定格電圧値とを入力し、次に、試験電力値をこの定格電力値に対する百分率として入力すると、これらのデータ（数値）がプログラマブル・コントローラ１３に伝達される。プログラマブル・コントローラ１３は、これらのデータから負荷試験に必要な負荷抵抗値を計算し、さらに、投入すべき抵抗器群Ｒ１〜Ｒ８の中から、これらの抵抗器の抵抗値の合計と負荷抵抗値とが等しくなるものを選択する。次に、選択された抵抗器群と試験対象発電機６との間の電路を閉じるように、電磁接触器等の制御回路１１に信号を送る。信号を受けた電磁接触器等の制御回路１１は、電磁接触器Ｍ１〜Ｍ８の中から所定のものを作動させて電路を閉じる。これにより、試験に必要な抵抗器群と試験対象発電機６とが接続される。
【００２５】なお、試験電力値は、定格電力値に対する百分率として入力するのではなく、直接に試験電力値そのものを入力するものとしても良い。また、プログラマブル・コントローラ１３における試験負荷の生成に用いられる抵抗器の選択手順については、図７に示すように、例えば、試験対象発電機６の定格負荷値と試験電力値とから試験抵抗値を、負荷試験装置自体の定格電圧値である２０８Ｖ換算の負荷容量として算出する（Ｓ１１）。
【００２６】次に、試験抵抗値（必要負荷容量）より小さいことを条件として、抵抗器の抵抗値データのある負荷バンクの中から最も値の大きい負荷バンク値を選択し、これをメモリする（Ｓ１２）。次に、試験抵抗値から選択した負荷バンク値を差し引き、この差を残り負荷値とする（Ｓ１３）。
【００２７】残り負荷値と最小負荷バンク値とを比較し、残り負荷値が最小負荷バンク値よりも小さい場合は、Ｓ１５に行き、大きい場合はＳ１７に行く（Ｓ１４）。残り負荷値が最小負荷バンク値よりも小さい場合は、当該負荷バンク値に対応するすべての抵抗器の投入指令を電磁接触器等の制御回路１１に出力する（Ｓ１５）。
【００２８】投入指令を受けた電磁接触器等の制御回路１１は、電磁接触器Ｍ１〜Ｍ８の中から選択された抵抗器に対応するものを作動させ、抵抗器と試験対象発電機の間の電路を閉じる（Ｓ１６）。なお、残り負荷値が最小負荷バンク値よりも大きい場合は、選択されていない別の負荷バンク値のうち、残り負荷値より小さいことを条件として、最も値の大きい負荷バンク値を選択し、これをメモリする（Ｓ１７）。この場合、Ｓ１３に戻る。
【００２９】
　このようにして、Ｓ１４の条件を満たす負荷バンク値の選択を繰り返すことにより、必要な抵抗器の選択と投入が行われる。なお、ここで述べた選択手順は一例を示したものであり、試験抵抗値と等しい、あるいは許容される範囲において近似する抵抗値となる抵抗器またはその組み合わせを選択することが可能であるならば、他の手順によるものでも良い。」（段落【００２４】〜【００２９】）
　
（キ）「次に、タッチパネル３１による入力方法について説明する。まず、タッチパネル３１の表示については、図８に示すように、初期設定画面Ｓ２１から後述する試験の種別の選択が可能な試験種別選択画面Ｓ２２に遷移し、さらに試験条件設定画面Ｓ２３、基本条件設定画面Ｓ２４、詳細条件設定画面Ｓ２５、の条件設定が可能な画面に順次推移し、各種条件の設定が終わると、運転状態表示画面に切り替わる構成になっている。なお、各画面の構成は、以下の例のものに限られるものではなく、必要となる試験条件を入力できるならば、例えば、試験条件設定画面と基本条件設定画面とを一体にするなど、他の構成にしても良い。
【００３１】以下に、タッチパネル３１の操作について詳細に説明する。　まず、図５（１）に示す初期状態画面において、「実行」と表示された表示枠３４に先端に丸みのある細い物で接触する（以下、「接触する」とする）。次に、図５（２）に示す画面において、「試験条件（項目）」から実施する試験を選択する。以下に「試験条件（項目）」ごとに説明する。
【００３２】「１．負荷試験」に接触した場合は、図５（３）に示す画面に遷移する。そこで試験条件を設定するために「１．条件設定」の表示枠３４に接触する。これに接触すると、図５（４）に示す基本条件を設定する画面に遷移するので、試験対象発電機６の定格電圧値と定格電力値とを入力し、「実行」と表示された表示枠３４に接触する。なお、この画面の右側の空白部分には、テンキープレートが表示されているので、該当数字に接触するだけで、容易に数値を入力することができる。また、テンキープレートは、四角形で表した入力枠３３に接触することにより表示され、数値の入力後再度接触すると消える。（以下の各画面においても同様）
【００３３】「実行」と表示された表示枠３４に接触すると、図５（５）に示す詳細条件を設定する画面に遷移するので、ここで、定格電力値に対する試験負荷値（試験抵抗値）を百分率で表した数値を入力し、さらにその試験負荷を投入する時間（分）を入力する。なお、必要に応じて最大５つまでの試験負荷値とそれを投入する時間の設定ができる。これらの入力後に「実行」と表示された表示枠３４に接触する。
【００３４】次に、図５（６）に示す画面に遷移する。そこで、試験負荷の投入時間、百分率で表された試験負荷値とが表示された表示枠３４に接触し、続けて実行に接触する。これにより選択した試験負荷で運転が開始される。運転を一時停止する場合は「停止」と表示された表示枠３４に接触する。運転を再開する場合は、「運転」と表示された表示枠３４に接触する。別の試験負荷を投入する場合は、選択する試験負荷の投入時間と試験負荷値の百分率とが表示された表示枠３４に接触し、続けて実行に接触する。これにより瞬時に試験負荷が切り替わる。」（段落【００３０】〜【００３４】）
）
　
（ク）「なお、入力手段ついては、試験に必要な諸条件を入力し、さらに数値の再入力したり、負荷試験装置の運転、停止などの操作ができ、入力値や負荷試験装置の運転状態を表示することが可能な構成であるならば、タッチパネルによるに代えて、例えば、パソコンにおいて用いられているようなディスプレイとキーボードやテンキーとを組み合わせたものとしても良い。
【００４４】また、タッチパネルの表示形態については、上記の実施形態のものに限られるものではなく、例えば、データ入力を容易にするためにデータの入力手段としてテンキーを別途設ける場合などは、タッチパネルにおいてはデータ入力以外の操作を行うのに対応するものにするなど、他の表示形態にしても良い。また、前述の実施形態においては、各試験において、発電機の定格電圧値および定格電力値と、試験電力値とを入力することにより、負荷試験に必要な条件設定をするものとしたが、試験電力値に代えて試験電流値を入力するものとしても良い。」（段落【００４３】〜【００４４】）
　
・上記記載（ア）から、
ａ「発電機の負荷試験」が読みとれる。
　
・上記記載（オ）における、試験用負荷として投入される抵抗器群Ｒ１〜Ｒ８について、抵抗器（１）から抵抗器（８）までの抵抗器は、それぞれの抵抗値をｒ1、ｒ2、ｒ3、ｒ4、ｒ5、ｒ6、ｒ7、ｒ8とすると、６４ｒ1＝３２ｒ2＝１６ｒ3＝８ｒ4＝４ｒ5＝４ｒ6＝２ｒ7＝ｒ8の関係が成り立つ構成として、例えば、ある試験電力値において、抵抗器群Ｒ１の負荷値が０．２５ｋｗであるとすると、Ｒ２は０．５ｋｗ、Ｒ３は１ｋｗ、Ｒ４は２ｋｗ、Ｒ５及びＲ６は４ｋｗ、Ｒ７は８ｋｗ、Ｒ８は１６ｋｗとなり、これらを適宜組み合わせることによって多様な負荷を生成することができる旨の記載から、
ｂ「抵抗器群Ｒ１〜Ｒ８を構成する複数の抵抗器」及び、「抵抗値が上位から下位等級に順次漸減された複数の抵抗器からなる抵抗器群Ｒ１〜Ｒ８」が読みとれる。
　
・上記記載（カ）における、プログラマブル・コントローラ１３における試験負荷の生成に用いられる抵抗器の選択手順の一例として、試験対象発電機６の定格負荷値と試験電力値とから試験抵抗値を、負荷試験装置自体の定格電圧値である２０８Ｖ換算の負荷容量として算出する旨の記載から、
ｃ「抵抗値を負荷容量として算出」する構成が読みとれる。
　
・上記記載（ウ）における、換算試験負荷と、記憶してある前記各抵抗器の電力値データとを比較して、換算試験負荷値と選択された電力値データとの差を求め、この差と、記憶してある前記各抵抗器の電力値データとを比較して、電力値データのうち、この差より小さく、かつ最も大きな値のものを選択し、当該換算試験負荷値とこの差との差を新たに算出することを繰り返して行き、新たに算出された差よりも、電力値データのいずれもが大きい状態になった時点で比較を終了し、選択された各電力値データに対応する抵抗器を試験負荷形成のためのものとして選択する記載と、
　上記記載（エ）における、演算手段が自動的に試験負荷を算出し、さらに、その試験において使用する抵抗器を自動的に選択する旨の記載、及び、
　上記記載（カ）における、試験抵抗値と等しい、あるいは許容される範囲において近似する抵抗値となる抵抗器またはその組み合わせを選択し、選択された抵抗器に対応する電磁接触器Ｍ１〜Ｍ８を作動させ、抵抗器と試験対象発電機の間の電路を閉じる旨の記載から、
ｄ「試験抵抗値と等しい、あるいは許容される範囲において近似する抵抗値となる抵抗器を上位から下位等級に順次自動的に選択し、選択された抵抗器と試験対象発電機の間の電路を閉じる」構成が読みとれる。
　
・上記記載（オ）における、抵抗値が上位から下位等級に順次漸減された複数の抵抗器を組み合わせることによって、多様な負荷を生成でき、抵抗値の関係は、細かい負荷設定ができるように、異なる抵抗値を有する組み合わせたものであれば良いとして、さらに、抵抗器群の数も８つに限られるものではなく、例えば、さらに微細な負荷調整が必要であれば、それに応じて抵抗器群の数を増やしても良い旨の記載と、
　上記記載（カ）における、試験抵抗値と等しい、あるいは許容される範囲において近似する抵抗値となる抵抗器またはその組み合わせを選択する旨の記載、及び、
　上記記載（エ）における、演算手段が自動的に試験負荷を算出し、さらに、その試験において使用する抵抗器を自動的に選択する旨の記載から、
ｅ「試験抵抗値を連続的に追従調整する」構成が読みとれる。
　
・上記記載（イ）には、負荷試験装置において、従来から抵抗器を並列接続する旨の記載があり、引用例の発明の実施形態の概略の回路図を示した図１においても、抵抗器は冷却用ファン及び制御回路用電源５にケーブルを介して並列接続されていることから、
ｆ「冷却用ファン及び制御回路用電源５にケーブルを介して並列接続された抵抗器群」の構成が読みとれる。
　
・上記記載（オ）における、抵抗器（１）から抵抗器（８）までの抵抗器が、それぞれの抵抗値をｒ1、ｒ2、ｒ3、ｒ4、ｒ5、ｒ6、ｒ7、ｒ8とすると、６４ｒ1＝３２ｒ2＝１６ｒ3＝８ｒ4＝４ｒ5＝４ｒ6＝２ｒ7＝ｒ8の関係が成り立つ構成とする旨の記載から、
ｇ「上位から下位等級に順次漸減した抵抗値を割り当てられた抵抗器」の構成が読みとれる。
　
・上記記載（オ）には、各抵抗器に対応する電気接触器が開示されていることから、
ｈ「抵抗器群Ｒ１〜Ｒ８と試験対象発電機８とを接続する電路を開閉する電磁接触器Ｍ１〜Ｍ８」が読みとれる。
　
・上記記載（カ）において、プログラマブル・コントローラ１３は、抵抗器の抵抗値データのある負荷バンクの中から最も値の大きい負荷バンク値をメモリする機能を有することから、
ｉ「プログラマブル・コントローラ１３は、抵抗器に接続されたメモリ機能を有する」構成が読みとれる。
　
・上記記載（カ）において、プログラマブル・コントローラ１３は、電磁接触器等の制御回路１１を介して各抵抗器に接続され、負荷試験に必要な抵抗値を計算することから、
ｊ「各抵抗器に接続されたプログラマブル・コントローラ１３は、負荷試験に必要な抵抗値を算出する」構成が読みとれる。
　
・上記記載（カ）及び図７から、プログラマブル・コントローラ１３は、試験抵抗値（必要負荷容量）より小さいことを条件として、抵抗器の抵抗値データのある負荷バンクの中から最も値の大きい負荷バンク値を選択し、これをメモリする（Ｓ１２）。次に、試験抵抗値から選択した負荷バンク値を差し引き、この差を残り負荷値とする（Ｓ１３）。残り負荷値と最小負荷バンク値とを比較し、残り負荷値が最小負荷バンク値よりも小さい場合は、Ｓ１５に行き、大きい場合はＳ１７に行く（Ｓ１４）。残り負荷値が最小負荷バンク値よりも小さい場合は、当該負荷バンク値に対応するすべての抵抗器の投入指令を電磁接触器等の制御回路１１に出力する（Ｓ１５）。投入指令を受けた電磁接触器等の制御回路１１は、電磁接触器Ｍ１〜Ｍ８の中から選択された抵抗器に対応するものを作動させ、抵抗器と試験対象発電機の間の電路を閉じる（Ｓ１６）。なお、残り負荷値が最小負荷バンク値よりも大きい場合は、選択されていない別の負荷バンク値のうち、残り負荷値より小さいことを条件として、最も値の大きい負荷バンク値を選択し、これをメモリする（Ｓ１７）。この場合、Ｓ１３に戻る、との構成を有することから、
ｋ「メモリ機能を有するプログラマブル・コントローラ１３は、負荷バンクの中から最も抵抗値の大きい負荷バンク値を選択し、試験抵抗値から選択した負荷バンク値を差し引き、選択されていない負荷バンク値の中から残り抵抗値よりも小さく、かつ最も大きいものを選択し、残り抵抗値から選択した負荷バンク値を差し引き、残り抵抗値が最小負荷バンク値よりも小さくなった場合には、当該負荷バンク値に対応するすべての抵抗器の投入指令を電磁接触器等の制御回路１１に出力する回路を有する」構成が読みとれる。
　
・上記記載（キ）には、演算手段であるプログラマブル・コントローラ１３が、電磁接触器等の制御回路１１を介して各抵抗器に接続され、負荷試験に必要な抵抗値を計算すること、及び、プログラマブル・コントローラ１３にデータを入力するタッチパネル３１について、タッチパネル上で試験負荷値（試験抵抗値）を百分率で表した数値を入力する構成が記載され、
　上記記載（カ）には、プログラマブル・コントローラ１３が、抵抗器の抵抗値データのある負荷バンクの中から最も値の大きい負荷バンク値をメモリする機能を有することが記載され、
　上記記載（ク）には、入力手段として、試験に必要な諸条件を入力し、さらに数値の再入力などをするタッチパネルに代えて、ディスプレイとキーボードやテンキーとの組み合わせが例示されていることから、
ｌ「プログラマブル・コントローラ１３にメモリされた負荷試験に必要な抵抗値に対して、当該抵抗値などの数値を再入力するタッチパネル、又はキーボードやテンキー」が読みとれる。
　
・上記記載（オ）における、電磁接触器Ｍ１〜Ｍ８は、試験用負荷として投入される抵抗器群Ｒ１〜Ｒ８と試験対象発電機６とを接続する電路を開閉するように設けられている旨の記載から、
ｍ「抵抗器群Ｒ１〜Ｒ８に電磁接触器Ｍ１〜Ｍ８を介設する」構成が読みとれる。
　
  以上の技術事項ａないしｍを総合勘案すると、引用例には次の発明が記載されているものと認められる。
　
「発電機の負荷試験に関して、抵抗器群Ｒ１〜Ｒ８を構成する複数の抵抗器において、抵抗値を負荷容量として算出し、上位から下位等級に順次漸減された抵抗値を各抵抗器に割り当てし、試験抵抗値と等しい、あるいは許容される範囲において近似する抵抗値となる抵抗器を上位から下位等級に順次自動的に選択し、選択された抵抗器と試験対象発電機の間の電路を閉じることにより、試験抵抗値を連続的に追従調整する負荷演算制御装置であって、
　冷却用ファン及び制御回路用電源５にケーブルを介して並列接続された抵抗器群であって、上位から下位等級に順次漸減された抵抗値を割り当てられた抵抗器と、
　抵抗器群Ｒ１〜Ｒ８と試験対象発電機８とを接続する電路を開閉する電磁接触器Ｍ１〜Ｍ８と、
　各抵抗器に接続されたメモリ機能を有し、負荷試験に必要な抵抗値を算出し、負荷バンクの中から最も抵抗値の大きい負荷バンク値を選択し、試験抵抗値から選択した負荷バンク値を差し引き、選択されていない負荷バンク値の中から残り抵抗値よりも小さく、かつ最も大きいものを選択し、残り抵抗値から選択した負荷バンク値を差し引くとともに、残り抵抗値が最小負荷バンク値よりも小さくなった場合に、当該負荷バンク値に対応するすべての抵抗器の投入指令を電磁接触器等の制御回路１１に出力する回路を有するプログラマブル・コントローラ１３と、
　プログラマブル・コントローラ１３にメモリされた負荷試験に必要な抵抗値に対して、当該抵抗値などの数値を再入力するタッチパネル、又はキーボードやテンキーと、を具備し、
　前記抵抗器群Ｒ１〜Ｒ８に電磁接触器Ｍ１〜Ｍ８を介設する、
　負荷演算制御装置。」（以下、「引用発明１」という。）
　
ウ　対比
　補正発明と引用発明１を比較する。
　
（ア）引用発明１における「発電機」、「負荷試験」、「抵抗器群Ｒ１〜Ｒ８」、「抵抗器」又は「負荷バンク」、「負荷容量」、「冷却用ファン及び制御回路用電源５」、「ケーブル」、「並列接続」、「電磁接触器Ｍ１〜Ｍ８」、「プログラマブル・コントローラ１３」、「最も値の大きい負荷バンク」、「差し引き」、及び「残り抵抗値」は、それぞれ、
　補正発明における「発電機」、「負荷特性試験」、「抵抗体バンク群」、「抵抗体バンク」、「電力容量」、「電源装置」、「電力ケーブル」、「並列接続」、「開閉器」、「制御器」、「第１の抵抗体バンク」、「減算」、及び「残数値」に相当する。
　
（イ）引用発明１における抵抗器群Ｒ１〜Ｒ８は、複数の抵抗器（抵抗器Ｒ１、抵抗器Ｒ２、・・・抵抗器Ｒ８）から成っており、それらの抵抗器の抵抗値も上位から下位等級に順次漸減しており、引用発明１においても抵抗値は負荷容量として算出され、各抵抗器には所定の抵抗値に対応する負荷容量が割り当てられていることから、
　引用発明１における「抵抗器群Ｒ１〜Ｒ８を構成する複数の抵抗器において、抵抗値を負荷容量として算出し、上位から下位等級に順次漸減された抵抗値を各抵抗器に割り当て」る構成は、補正発明における「抵抗体バンク群を複数に分割するに際して、全抵抗体の電気容量を比較演算で上位から下位等級に順次漸減算出された各抵抗体バンクに分割、割り当て」る構成に相当するといえる。
　
（ウ）引用発明１における「試験抵抗値」は、試験対象発電機の定格電圧値及び定格電力値と、試験電力値から自動的に算出される抵抗であり、電力値に比例することから、実質的には電力容量も規定していることになる。
　他方、補正発明における「負荷制御値」は、電力容量（ｋｗ）を指している。
　したがって、引用発明１における「試験抵抗値」は、補正発明における「負荷制御値」に相当するといえる。
  
（エ）引用発明１における「等しい、あるいは許容される範囲において近似する抵抗値となる」は、補正発明における、設定目標とする負荷制御値についての、「近似値をとるため」に相当するといえる。
　
（オ）引用発明１における、「抗器群Ｒ１〜Ｒ８と試験対象発電機８とを接続する電路を開閉する」構成は、補正発明における「抵抗体バンクのＯＮ／ＯＦＦ」の構成に相当するといえる。
　
（カ）引用発明１における抵抗器群の中の抵抗器と試験対象発電機の間の電路は、それを選択的に閉じることにより、抵抗器群による全体の抵抗値が加減算出されることから、
　引用発明１における「抵抗器を上位から下位等級に順次自動的に選択し、選択された抵抗器と試験対象発電機の間の電路を閉じる」構成は、本願発明の「上位から下位等級に亙り順次前記各抵抗体バンクのＯＮ／ＯＦＦの組合せを自動的に選択して加減算出する」構成に相当するといえる。
  
（キ）引用発明１の「負荷演算制御装置」について、前記記載「２．（３）イ（オ）」には、抵抗器の負荷値として０．５ｋｗ、１ｋｗ、２ｋｗ、４ｋｗ、８ｋｗ、１６ｋｗの組合せが挙げられている。また、補正発明の「低圧負荷演算制御装置」に関して、本願の明細書の段落【００４４】ないし【００４９】には、抵抗体バンクの最小値として１５．６２５ｋｗが用いられ、低圧の場合には、それらの設定数値をさらに低圧領域に下げて、よりきめ細かい微少制御を行うことができると記載されている。
　してみれば、引用発明１の「負荷演算制御装置」における抵抗器の負荷値の値は、補正発明の「低圧負荷演算制御装置」における抵抗体バンクの最小値と同程度か、あるいはそれよりも小さい値であるため、引用発明１の「負荷演算制御装置」は補正発明と同程度の「低圧」負荷を演算制御できるものと認められる。
　したがって、引用発明１の「負荷演算制御装置」は、補正発明の「低圧負荷演算制御装置」に相当するといえる。
　
（ク）引用発明１における「試験抵抗値を連続的に追従調整する負荷演算制御装置」も、補正発明における「抵抗体バンクの収束にて変動する負荷制御値を連続的に追従調整する低圧負荷演算制御装置」も、共に「負荷制御値を調整する低圧負荷演算制御装置」である点で共通するといえる。
　
（ケ）引用発明１における「冷却用ファン及び制御回路用電源５にケーブルを介して並列接続された抵抗器群」は、補正発明における「電源装置に接続した電力ケーブル端に並列接続した抵抗体バンク群」に相当するといえる。
　
（コ）引用発明１における「順次漸減した抵抗値を割り当てられた抵抗器」は、当然に２以上の個数の抵抗器を有することから、補正発明における「抵抗体バンクを２以上（２〜Ｎ［Ｎは自然数］）に分割するため、当該抵抗体バンク群の全電力容量を上位から下位等級に順次漸減算出して分割割り当てした複数の抵抗体バンク」に相当するといえる。
　
（サ）引用発明１における「上位から下位等級に順次漸減された抵抗値を割り当てられた抵抗器」との記載について、
　上記（ウ）で説示したように、引用発明１においては、抵抗値を負荷容量として算出しており、引用発明１における各抵抗器も、所定の抵抗値に対応する負荷容量が割り当てられ、さらに、引用発明１の「負荷演算制御装置」を設計する際には、当該装置の全抵抗値についても当然に考慮されるべきものと認められる。
　したがって、 引用発明１における「上位から下位等級に順次漸減された抵抗値を割り当てられた抵抗器」は、補正発明における「抵抗体バンクを２以上（２〜Ｎ［Ｎは自然数］）に分割するため、当該抵抗体バンク群の全電力容量を上位から下位等級に順次漸減算出して分割割り当てした複数の抵抗体バンク」に相当するといえる。
　
（シ）引用発明１における「抗器群Ｒ１〜Ｒ８と試験対象発電機８とを接続する電路を開閉する電磁接触器Ｍ１〜Ｍ８」についてみるに、当該電路の開閉は、抵抗値の加算の有無を制御することから、補正発明における抵抗体バンクのＯＮ／ＯＦＦに相当する。
　したがって、引用発明１における「抗器群Ｒ１〜Ｒ８と試験対象発電機８とを接続する電路を開閉する電磁接触器Ｍ１〜Ｍ８」は、補正発明における「該抵抗体バンク群の各抵抗体バンクそれぞれに介接し、当該各抵抗体バンクのＯＮ／ＯＦＦの切換を行う開閉器」に相当するといえる。
　
（ス）引用発明１における「プログラマブル・コントローラ１３」は、メモリ機能を有しており、さらに負荷試験に必要な抵抗値を算出し、負荷バンクの抵抗値との比較を行うことから、算出した負荷抵抗値を記憶することも当然に行っていると認められる。
　さらに、引用発明１における「プログラマブル・コントローラ１３」は、負荷バンクの中から最も値の大きい負荷バンク値を選択し、試験抵抗値から選択した負荷バンク値を差し引き、次に、選択されていない負荷バンク値の中から残り抵抗値よりも小さく、かつ最も大きいものを選択し、残り抵抗値から選択した負荷バンク値を差し引く比較演算を行う機能を有する。
　そして、当該機能は、補正発明における、負荷制御値と前記各第１から第Ｎの抵抗体バンクに対応した当該各抵抗体バンクの電力容量との比較を繰り返して、減算を行う第１から第Ｎに亙る演算を実行する構成に対応する。
　したがって、引用発明１における「各抵抗器に接続されたメモリ機能を有するプログラマブル・コントローラ１３は、負荷試験に必要な抵抗値を算出し、荷バンクの中から最も値の大きい負荷バンク値を選択し、試験抵抗値から選択した負荷バンク値を差し引き、次に、選択されていない負荷バンク値の中から残り抵抗値よりも小さく、かつ最も大きいものを選択し、残り抵抗値から選択した負荷バンク値を差し引き」する構成は、補正発明における
「制御器」が、「設定された前記負荷制御値を記憶し」、「当該負荷制御値と前記各第１から第Ｎの抵抗体バンクに対応した当該各抵抗体バンクの前記電力容量との比較を行い」、「減算を行う第１から第Ｎに亙る演算」を「実行」する構成に相当するといえる。
　
（セ）引用発明１における「プログラマブル・コントローラ１３」が「残り抵抗値が最小負荷バンク値よりも小さくなった場合に、負荷バンク値に対応するすべての抵抗器の投入指令を電磁接触器等の制御回路１１に出力する」構成は、補正発明における「制御器」が「当該演算にて算出されたディジタル信号を各対応する前記開閉器に転送して開閉実行する」構成に相当するといえる。
　
（ソ）上記（ス）、（セ）より、引用発明１における「各抵抗器に接続されたメモリ機能を有し、負荷試験に必要な抵抗値を算出し、負荷バンクの中から最も抵抗値の大きい負荷バンク値を選択し、試験抵抗値から選択した負荷バンク値を差し引き、選択されていない負荷バンク値の中から残り抵抗値よりも小さく、かつ最も大きいものを選択し、残り抵抗値から選択した負荷バンク値を差し引くとともに、残り抵抗値が最小負荷バンク値よりも小さくなった場合に、当該負荷バンク値に対応するすべての抵抗器の投入指令を電磁接触器等の制御回路１１に出力する回路を有するプログラマブル・コントローラ１３」も、補正発明における「設定された前記負荷制御値を記憶してアナログ転送する制御値記憶演算回路と、当該制御値記憶演算回路より転送されてきた当該負荷制御値と前記各第１から第Ｎの抵抗体バンクに対応した当該各抵抗体バンクの前記電力容量との比較を自動的に繰り返し、減算を行う第１から第Ｎに亙る演算を逐次実行するとともに、当該演算にて算出されたディジタル信号を各対応する前記開閉器に転送して開閉実行する比較演算転送回路とを有する制御器」も、共に、「設定された前記負荷制御値を記憶し、当該負荷制御値と前記各第１から第Ｎの抵抗体バンクに対応した当該各抵抗体バンクの前記電力容量との比較を行い、減算を行う第１から第Ｎに亙る演算を実行するとともに、当該演算にて算出されたディジタル信号を各対応する前記開閉器に転送して開閉実行する回路を有する制御器」である点で共通するといえる。
　
（タ）引用発明１における「プログラマブル・コントローラ１３にメモリされた負荷試験に必要な抵抗値に対して、当該抵抗値などの数値を再入力するタッチパネル、又はキーボードやテンキー」との構成も、補正発明における「前記制御値記憶演算回路内に設定保持された負荷制御値に対して増加方向へ当該負荷制御値を変更させるアナログ値を発信するＵＰボタンと、減少方向へ当該負荷制御値を変更させるアナログ値を発信するＤＯＷＮボタンを有する押しボタンスイッチ」との構成も、共に、「設定保持された負荷制御値に対して、当該負荷制御値を変更させる値を入力するボタンを有するボタンスイッチ」である点で共通する。
　
（チ）引用発明１における「前記抵抗器群Ｒ１〜Ｒ８に電磁接触器Ｍ１〜Ｍ８を介設する」との構成も、補正発明における「低圧負荷環境下において、前記抵抗体バンク群内の下位電力容量を保持する複数の前記各抵抗体バンクに半導体開閉器を介設可能とする」との構成も、共に「前記抵抗体バンク群に開閉器を介設可能とする」点で共通する。
　
　してみると、両者は、
（一致点）
「発電機の負荷特性試験に関して、抵抗体バンク群を複数に分割するに際し、全抵抗体の電力容量を比較演算で上位から下位等級に順次漸減算出された各抵抗体バンクに分割、割り当てし、設定目標とする負荷制御値の近似値をとるため上位から下位等級に亙り順次前記各抵抗体バンクのＯＮ／ＯＦＦの組合せを自動的に選択して加減算出することにより、負荷制御値を調整する低圧負荷演算制御装置であって、
　電源装置に接続した電力ケーブル端に並列接続した抵抗体バンクを２以上（２〜Ｎ［Ｎは自然数］）に分割するため、当該抵抗体バンク群の全電力容量を上位から下位等級に順次漸減算出して分割割り当てした複数の抵抗体バンクと、
　当該抵抗体バンク群の各抵抗体バンクそれぞれに介接し、当該各抵抗体バンクのＯＮ／ＯＦＦの切換を行う開閉器と、
　設定された前記負荷制御値を記憶し、当該負荷制御値と前記各第１から第Ｎの抵抗体バンクに対応した当該各抵抗体バンクの前記電力容量との比較を行い、減算を行う第１から第Ｎに亙る演算を実行するとともに、当該演算にて算出されたディジタル信号を各対応する前記開閉器に転送して開閉実行する回路を有する制御器と、
　前記設定保持された負荷制御値に対して、当該負荷制御値を変更させる値を入力するボタンを有するボタンスイッチと、を具備し、
　前記抵抗体バンク群に開閉器を介設可能とする、
　低圧負荷演算制御装置。」で一致し、以下の点で相違する。
　
（相違点）
ａ　相違点１：負荷制御値の連続的な追従調整について
　
　補正発明では「抵抗体バンクの収束にて変動する負荷制御値を連続的に追従調整する」のに対して、引用発明１では「試験抵抗値を連続的に追従調整する」としている点。
　
ｂ　相違点２：制御器内に設けられた回路の構成について
　
　補正発明では、「設定された前記負荷制御値を記憶してアナログ転送する制御値記憶演算回路と、当該制御値記憶演算回路より転送されてきた当該負荷制御値と前記各第１から第Ｎの抵抗体バンクに対応した当該各抵抗体バンクの前記電力容量との比較を自動的に繰り返し、減算を行う第１から第Ｎに亙る演算を逐次実行するとともに、当該演算にて算出されたディジタル信号を各対応する前記開閉器に転送して開閉実行する比較演算転送回路とを有する制御器」とあるように、制御器は「制御値記憶演算回路」と「比較演算転送回路」を有し、「制御値記憶演算回路」から「比較演算転送回路」へ負荷制御値がアナログ転送され、負荷制御値と各抵抗体バンクの前記電力容量の比較を自動的に繰り返し、減算を行う演算を逐次実行し、比較、演算を「経時的」に自動的に繰り返しているのに対して、
　引用発明１では、「各抵抗器に接続されたメモリ機能を有するプログラマブル・コントローラ１３は、負荷試験に必要な抵抗値を算出し、負荷バンクの中から最も抵抗値の大きい負荷バンク値を選択し、試験抵抗値から選択した負荷バンク値を差し引き、次に、選択されていない負荷バンク値の中から残り抵抗値よりも小さく、かつ最も大きいものを選択し、残り抵抗値から選択した負荷バンク値を差し引き、残り抵抗値が最小負荷バンク値よりも小さくなった場合には、当該負荷バンク値に対応するすべての抵抗器の投入指令を電磁接触器等の制御回路１１に出力する」とあるように、プログラマブル・コントローラ１３の動作内容についてみると、補正発明と同等のものが開示されているものの、その動作を実現するための、プログラマブル・コントローラ１３内の具体的な構成については、必ずしも明らかではない点。
　
ｃ　相違点３：負荷制御値の変更手段について
　
　補正発明では、「前記制御値記憶演算回路内に設定保持された負荷制御値に対して増加方向へ当該負荷制御値を変更させるアナログ値を発信するＵＰボタンと、減少方向へ当該負荷制御値を変更させるアナログ値を発信するＤＯＷＮボタンを有する押しボタンスイッチ」とあるように、負荷制御値の変更手段として、ＵＰボタンとＤＯＷＮボタンを有する押しボタンスイッチを用いているのに対して、引用発明１では「タッチパネル、又はキーボードやテンキー」を用いている点。
　
ｄ　相違点４：下位電力容量を保持する抵抗体バンクへの開閉器の介設について
　
　補正発明では、「低圧負荷環境下において、前記抵抗体バンク群内の下位電力容量を保持する複数の前記各抵抗体バンクに半導体開閉器を介設可能とする」とあるように、低圧負荷環境下において、抵抗体バンク群内の下位電力容量を保持する複数の前記各抵抗体バンクに対して、開閉器として半導体開閉器を介設可能とするのに対して、引用発明１では、抵抗器群Ｒ１〜Ｒ８には、いずれも、電磁接触器を介接している点。
　
エ　判断
　
（ア）相違点１について
　
　一般に、この種の発電機の試験のための抵抗器を用いた負荷試験機において、起動時の温度変化による抵抗器の抵抗値の変化に対応する必要があること、また、発電機の負荷試験機において、一定負荷運転中に負荷が変動した場合に自動的に負荷量を調整する必要があることは、いずれも、周知な技術課題である。このことは、例えば、本願の原出願の出願日前に頒布された刊行物である特開昭６２−２１９９０１号公報「発電機試験用抵抗体」（発明の名称）の、特に第１頁右欄第１７〜第２頁左上欄第２行、第２頁左上欄第１０行〜２０行、第３頁左上欄第２行〜右上欄第１行や、特開平７−２１８６０６号公報「自動負荷調整装置」（発明の名称）の、特に段落【００１２】〜【００１３】、【００２３】、実願昭５８−１５２６４０号（実開昭６０−５９９７９号）のマイクロフィルム「発電機試験用負荷調整装置」（考案の名称）の、特に第２頁第２０行〜第３頁第１０行、第７頁第２０行〜第８頁第１５行に開示されている。
　以上のとおり、この種の発電機の試験の技術分野において、起動時に温度変化による抵抗器の抵抗値の変化が生じるために、当該変動への追従調整を行う必要があることは周知な技術課題であるから、「試験抵抗値を連続的に追従調整する」引用発明１を、起動時の抵抗器群の温度変化による試験抵抗値の変動に対して行うように、補正発明の様に、抵抗器の収束にて変動する試験抵抗値を連続的に追従調整するようにすることは、当業者ならば容易に想到し得たことである。
　
（イ）相違点２について
　
　引用発明１のプログラマブル・コントローラ１３の回路も、試験抵抗値の記憶や、当該試験抵抗値と負荷バンク値の比較演算を行っていることから、補正発明の制御器における「制御値記憶演算回路」や「比較演算転送回路」と同じ機能を有していると認められる。そして、同じ機能を有する回路の具体的な設計は、当業者が適宜なし得るものである。
　してみれば、引用発明１のプログラマブル・コントローラ１３内の回路を設計する際に、試験抵抗値の記憶を行う回路と演算を行う回路を別個に設けて、回路間の試験抵抗値の共有をアナログ転送により行うことは、当業者ならば適宜なし得た設計事項に過ぎない。
　また、上記「（ア）相違点１について」で説示したように、発電機の負荷試験機において、一定負荷運転中に負荷が変動した場合に自動的に負荷量を調整する必要があることは周知な技術課題であり、引用発明１のプログラマブル・コントローラ１３においても、起動時の抵抗器群の温度変化による試験抵抗値の変動に対して試験抵抗値を連続的に追従調整する際、試験抵抗値の記憶、比較演算を経時的に自動的に繰り返すことは自明である。
　
（ウ）相違点３について
　
　一般に、設定値を変更するために、当該設定値を上げるためのＵＰボタンや、当該設定値を下げるためのＤＯＷＮボタンを有する押しボタンを使用することは、例示するまでもなく周知な技術である。そして、このようなＵＰボタンやＤＯＷＮボタンの押下に伴い、測定値を上げたり下げたりするためのアナログ信号（値）が発信されるものである。
　よって、引用発明１において、プログラマブル・コントローラ１３にメモリされた負荷試験に必要な抵抗値などの数値を再入力するための負荷制御値の変更手段として、タッチパネル、又はキーボードやテンキーに代えて、周知な技術である、ＵＰボタンやＤＯＷＮボタンを備えた押しボタンを採用することは、当業者ならば適宜なし得たことである。
　
（エ）相違点４について
　
　上記「ウ（キ）」で説示したように、引用発明１の「負荷演算制御装置」における抵抗器の負荷値の値は、補正発明の「低圧負荷演算制御装置」における抵抗体バンクの最小値と同程度か、あるいはそれよりも小さい値であるため、引用発明１の「負荷演算制御装置」は補正発明と同程度の「低圧」負荷を演算制御できるものと認められる。
　また、引用例の段落【０００２】（前記「イ（イ）」参照。）に記載されているとおり、発電機の発電性能の試験には、発電機に様々な試験負荷を与えることになるところ、引用発明１の「負荷演算制御装置」においても、上位から下位等級に順次漸減した抵抗値を割り当てられた抵抗器を有しており、様々な試験負荷を設定する中で、抵抗値の大きな抵抗器の電路よりも、抵抗値の小さな抵抗値の電路のほうが、必然的に開閉の頻度が多くなるものである。
　そして、電磁接触器などの機械式のスイッチは開閉接点での消耗が激しいため、使用頻度の高いスイッチとしてサイリスタ等の半導体スイッチを採用することは、周知の技術事項といえる。この点については、例えば、原査定の拒絶の理由に引用された、特開２０００−３１２９７５号公報「プラズマアーク電源装置」（発明の名称）の、特に段落【０００６】に、消耗が激しい開閉接点の問題点を解決する技術として、無接点の半導体スイッチング素子が示され、また、同じく、特開２００２−２５２５５２号公報「半導体開閉器」（発明の名称）の、特に段落【０００６】に、金属接点を開閉する電磁接触器などの機械式接点は、接点の摩耗のために開閉頻度が制限される問題があり、そのために、半導体を用いた無接点開閉器が示されている。
　してみれば、引用発明１における電磁接触器Ｍ１〜Ｍ８のうち、開閉頻度の高い下位等級の抵抗値を割り当てられた抵抗器の電路の開閉に対して、前記周知の技術を採用して、電磁接触器に代えて半導体開閉器を介接可能とすることは、当業者ならば適宜なし得たことである。
　
　そして、補正発明の作用効果も、引用発明１から当業者が予測可能なものであって、格別のものではない。
　
　したがって、補正発明は、引用発明１に基づいて当業者が容易に発明をすることができたものであるから、特許法第２９条第２項の規定により特許出願の際独立して特許を受けることができないものである。
　
オ　むすび
　以上のとおり、本件補正は、平成１８年法律第５５号改正附則第３条第１項によりなお従前の例によるとされる同法による改正前の特許法第１７条の２第５項において準用する同法第１２６条第５項の規定に違反するものであるから、同法第１５９条第１項において読み替えて準用する同法第５３条第１項の規定により却下すべきものである。
　
３．本願発明について
　
　本件補正は前記のとおり却下されたので、本願の請求項１ないし１０に係る発明は、補正１によって補正された明細書、特許請求の範囲及び図面の記載からみて、その特許請求の範囲の請求項１ないし１０に記載された事項により特定されるとおりのものと認められるところ、その請求項５及び請求項１に係る発明は、それぞれ次のとおりである。
　
「【請求項５】
　発電機の負荷特性試験に関して、抵抗体バンク群を複数に分割するに際し、全抵抗体の電力容量を比較演算で上位から下位等級に順次漸減算出された各抵抗体バンクに分割、割り当てし、設定目標とする負荷制御値の近似値をとるため上位から下位等級に亙り順次前記各抵抗体バンクのＯＮ／ＯＦＦの組合せを自動的に選択して加減算出することにより、変動する負荷制御値を連続的に追従調整する低圧負荷演算制御装置であって、
　電源装置に接続した電力ケーブル端に並列接続した抵抗体バンク
群
当該抵抗体バンク群の各抵抗体バンクそれぞれに介接し、当該各抵抗体バンクのＯＮ／ＯＦＦの切換を行う開閉器と、
　設定された前記負荷制御値を記憶してアナログ転送する制御値記憶演算回路と、当該制御値記憶演算回路より転送されてきた当該負荷制御値と前記各第１から第Ｎの抵抗体バンクに対応した当該各抵抗体バンクと前記電力容量との比較、減算を行う第１から第Ｎに亙る逐次演算を実行するとともに、当該演算にて算出されたディジタル信号を各対応する前記開閉器に転送して開閉実行する比較演算転送回路とを有する制御器と、
　前記制御値記憶演算回路内に設定保持された負荷制御値に対して増加方向へ当該負荷制御値を変更させるアナログ値を発信するＵＰボタンと、減少方向へ当該負荷制御値を変更させるアナログ値を発信するＤＯＷＮボタンを有する押しボタンスイッチと、を具備し、
　低圧負荷環境下において、前記抵抗体バンク群内の下位電力容量を保持する複数の前記各抵抗体バンクに半導体開閉器を介設可能とする、
　ことを特徴とする低圧負荷演算制御装置。」（ここで、「電力ケーブル端に並列接続した抵抗体バンクを２以上」との記載は、「電力ケーブル端に並列接続した抵抗体バンク群を２以上」の誤記と認め、上記のとおり認定した。また、下線は当審で付した。以下、「本願発明１」という。）
　
「【請求項１】
　発電機の負荷特性試験に関して、抵抗体バンク群を複数に分割するに際し、全抵抗体の電力容量を比較演算より上位から下位等級に順次漸減算出された各抵抗体バンクに分割、割り当てし、設定目標とする値の近似値をとるため上位から下位等級に亙り順次前記各抵抗体バンクのＯＮ／ＯＦＦの組合せを自動的に調整して加減算することにより、変動する負荷制御値を連続的に追従調整する低圧負荷演算制御方法であって、
　まず、電源装置に電力ケーブルを介して並列接続された前記抵抗体バンク群を複数（２〜Ｎ［Ｎは自然数］）に分割した後、当該抵抗体バンク群の全最大電力容量を２進法に基づき、２分の１から２ｎ−１分の１に相当する電力容量の上位から下位等級に順次漸減算出された値を分割された第１から第Ｎの各抵抗体バンクに割り当て、
　次に、前記各抵抗体バンクに接続された制御手段で、目標値とする負荷制御値を設定後、当該制御手段内の比較演算転送回路内の第１の演算手段にて、当該第１の演算手段に対応する第１の前記抵抗体バンクが保持する電力容量と、前記負荷制御値を比較し、当該負荷制御値が当該電力容量以上であれば、当該電力容量を当該負荷制御値から減算したものを残数値として、前記制御手段にて記憶保持するとともに第２の演算手段に残数値をアナログ転送し、前記第１の抵抗体バンクにＯＮ状態を示すディジタル信号を転送する一方、当該負荷制御値が当該電力容量以下であれば、当該負荷制御値を第２の演算手段にアナログ転送し、
　以下、前記第２の演算から第Ｎの演算まで、次上位の演算手段より受け取った前記残数値又は前記負荷制御値と、次下位等級の抵抗体バンクの電力容量とを順次比較してゆき、当該残数値が各対応する当該抵抗体バンクの電力容量以上であれば、当該電力容量を当該残数値からその都度減算し、次下位等級残数値として記憶保持し次下位等級の演算手段に当該下位残数値をアナログ転送するとともに、当該各第２から第Ｎの演算手段に各対応した前記抵抗体バンクに対し、ＯＮ状態を示すディジタル信号を転送する一方、前記次上位等級から受け取った前記残数値又は前記負荷制御値が前記下位等級の抵抗体バンクの前記
電力容量以下であれば、当該次上位等級残数値を次下位等級残数値として次下位等級の演算手段にアナログ転送して逐次実施し、
　低圧負荷状態において、開閉頻度の高い小容量抵抗体バンクに対し半導体開閉手段を介し、抵抗体バンクの負荷を軽減させる、
　ことを特徴とする、低圧負荷演算制御方法。」（以下、「本願発明２」という。）
　
（１）本願発明１について
　
　まず、本願発明１について検討する。
　
ア　引用例記載の事項・引用発明１
　原査定の拒絶の理由に引用され、本願の原出願の出願日前に頒布された刊行物である引用例に記載の事項、及び引用発明１は、前記「２．（３）イ　引用例記載の事項・引用発明１」に記載したとおりである。
　
イ　対比
　本願発明１は、前記「２．（３）ア　補正発明について」で検討した補正発明から、「変動する負荷制御値」についての限定事項である「抵抗体バンクの収束にて」、また、「比較演算転送回路」についての限定事項である「自動的に繰り返し」及び「（演算を）逐次（実行）」との発明特定事項を、それぞれ省いたものである。
　
　してみると、本願発明１と引用発明１との相違点は以下のとおりである。
　
（相違点）
（ア）相違点１：負荷制御値の連続的な追従調整について
　
　本願発明１では「変動する負荷制御値を連続的に追従調整する」のに対して、引用発明１には「試験抵抗値を連続的に追従調整する」としている点。
　
（イ）相違点２：制御器内に設けられた回路の構成について
　
　本願発明１では、「設定された前記負荷制御値を記憶してアナログ転送する制御値記憶演算回路と、当該制御値記憶演算回路より転送されてきた当該負荷制御値と前記各第１から第Ｎの抵抗体バンクに対応した当該各抵抗体バンクと前記電力容量との比較、減算を行う第１から第Ｎに亙る逐次演算を実行するとともに、当該演算にて算出されたディジタル信号を各対応する前記開閉器に転送して開閉実行する比較演算転送回路とを有する制御器」とあるように、制御器は「制御値記憶演算回路」と「比較演算転送回路」を有し、「制御値記憶演算回路」から「比較演算転送回路」へ負荷制御値がアナログ転送され、負荷制御値と各抵抗体バンクの前記電力容量の比較、減算を行う逐次演算を実行しているのに対して、
　引用発明１では、「各抵抗器に接続されたメモリ機能を有するプログラマブル・コントローラ１３は、負荷試験に必要な抵抗値を算出し、負荷バンクの中から最も抵抗値の大きい負荷バンク値を選択し、試験抵抗値から選択した負荷バンク値を差し引き、次に、選択されていない負荷バンク値の中から残り抵抗値よりも小さく、かつ最も大きいものを選択し、残り抵抗値から選択した負荷バンク値を差し引き、残り抵抗値が最小負荷バンク値よりも小さくなった場合には、当該負荷バンク値に対応するすべての抵抗器の投入指令を電磁接触器等の制御回路１１に出力する」とあるように、プログラマブル・コントローラ１３の動作内容については開示されているものの、その動作を実現するためのプログラマブル・コントローラ１３内の具体的な構成については必ずしも明らかではない点。
　
（ウ）相違点３：負荷制御値の変更手段について
　
　本願発明１では、「前記制御値記憶演算回路内に設定保持された負荷制御値に対して増加方向へ当該負荷制御値を変更させるアナログ値を発信するＵＰボタンと、減少方向へ当該負荷制御値を変更させるアナログ値を発信するＤＯＷＮボタンを有する押しボタンスイッチ」とあるように、負荷制御値の変更手段として、ＵＰボタンとＤＯＷＮボタンを有する押しボタンスイッチを用いているのに対して、引用発明１では「タッチパネル、又はキーボードやテンキー」を用いている点。　　
　　
（エ）　相違点４：下位電力容量を保持する抵抗体バンクへの開閉器の介設について
　
　本願発明１では、「低圧負荷環境下において、前記抵抗体バンク群内の下位電力容量を保持する複数の前記各抵抗体バンクに半導体開閉器を介設可能とする」とあるように、低圧負荷環境下において、抵抗体バンク群内の下位電力容量を保持する複数の前記各抵抗体バンクに対して、開閉器として半導体開閉器を介設可能とするのに対して、引用発明１では、抵抗器群Ｒ１〜Ｒ８には、いずれも、電磁接触器を介接している点。
　
ウ　判断
　本願発明１と引用発明１の相違点について検討する。
　
（ア）相違点１について
　
　本願発明１における、「変動する負荷制御値を連続的に追従調整する」との記載の技術的意味について、補正１によって補正された明細書、特許請求の範囲及び図面（以下、「補正１明細書等」という。）に基づいて検討するに、この相違点に関連する明細書の記載は以下のとおりである。
　まず、発明が解決しようとする課題には、次のとおり記載されている。
　
ａ「【００２１】
　ここにおいて、本発明の解決すべき主要な目的は、次の通りである。
【００２２】
　即ち、本発明の第１の目的は、工業用水を使用せずに負荷制御値に連続的に精度よく追従し、その値を持続できる低圧負荷演算制御方法及び装置を提供せんとするものである。
【００２３】
　本発明の第２の目的は、少量の開閉器のみで連続的に負荷を精度よく加減でき、また開閉器数の減少により製造コストを下げ、整備性を向上させる低圧負荷演算制御方法及び装置を提供せんとするものである。
【００２４】
　本発明第３の目的は、負荷制御値算出を自動化で行うことにより、人手によるバンクの組合せ計算から解放できる低圧負荷演算制御方法及び装置を提供せんとするものである。」（段落【００２１】〜【００２４】）
　
　補正１明細書等の発明の詳細な説明には、課題を解決するための手段に次のとおり記載されている。
　
ｂ「【００２６】
　本発明装置は、上記課題の解決に当たり、電源装置とを結ぶ電力ケーブルの途中に、電力計、地絡継電器、電圧計、電力計、電流計、主遮断機を具備させた負荷装置に接続する抵抗体バンクを複数（２〜Ｎ）に分割し、抵抗体バンク群の最大電力容量を２進数に基づき２分の１から２ｎ−１分の１に等級分割した電力容量を割り当て保持させた各抵抗体バンクに開閉器と制御器を介設し、当該制御器内には、負荷制御値を保持する制御値記憶演算回路と各等級の抵抗体バンクの電力容量値と上位等級で既に差引された負荷制御値を比較し、各抵抗体バンクに介設した開閉器に対してＯＮ／ＯＦＦ信号を転送する比較演算転送回路とを具備させる、低圧負荷演算制御手段を講じる特徴を有する。
【００２７】
　また、本発明方法は、負荷加減装置における抵抗体バンクを複数（２〜Ｎ）に等級分割しその抵抗体バンク群の全最大電力容量を２進数に基づいて２分の１から２ｎ−１分の１まで等級分割したものを、それぞれの抵抗体バンクに割り当て、制御値記憶演算回路よって設定された目標とする負荷制御値と各等級の抵抗体バンクに割り振られた電力容量値を比較演算転送回路によって比較及び等級毎に減算しながら、負荷制御値の近似値を示す各抵抗体バンクＯＮ／ＯＦＦの組合せを導き出す低圧負荷演算制御方法を講じる特徴を有する。」（段落【００２６】〜【００２７】）
　
  補正１明細書等の発明の詳細な説明には、発明の効果に次のとおり記載されている。
　
ｃ「【００３７】
　本発明によれば、抵抗体バンクと比較転送演算回路を有する制御器の組合せにより、少数の開閉器で連続かつ高精度な負荷の加減が可能となる。
【００３８】
　また、バンクの組合せの選択自動化により、負荷制御値設定の高精度化と時間短縮化が可能となるため、操作時間の短縮を図ることが可能となる。
【００３９】
　さらに、自動化により、デジタル電力計を見ながらの押釦スイッチ操作以外作業員が選択組合せ操作を行う必要がなくなるため、人為的ミス等の誤操作も解消されるという優れた効果を奏する。」（段落【００３７】〜【００３９】）
　
　補正１明細書等の発明の詳細な説明には、発明を実施するための最良の形態に次のとおり記載されている。
　
ｄ「【００５４】
　図３は、抵抗体バンクα１〜α７にそれぞれ介設された低圧開閉器ＣＬに対し、ＯＮ／ＯＦＦのディジタル信号を転送する制御器ＣＶ及び制御器ＣＶと接続して負荷制御値の値を設定する押しボタンスイッチＳＷの構成図である。
　【００５５】
　同図に示すように、制御器ＣＶは、負荷の目標値とする負荷制御値を制御器ＣＶ内に記憶する制御値記憶演算回路ＭＣと、負荷制御値を視覚的に検分可能なデジタル数値でメモリ表示する制御値計測器ＭＶと、制御値記憶演算回路ＭＣに記憶された負荷制御値と各等級の抵抗体バンクαの電力容量との比較演算を自動的に繰り返しながら、負荷制御値に最も近い値を算出する抵抗体バンクα１〜α７のＯＮ／ＯＦＦの選択的組合せを導き出し、実際に抵抗体バンクα１〜７にＯＮ／ＯＦＦのディジタル信号として転送出力制御する比較演算転送回路ＯＣとを具備する。それに加え、図示しないボタン又はスイッチを比較演算を開始するトリガとして用いてもよい。」（段落【００５４】〜【００５５】）
　
ｅ「【００６０】
　（方法例）
　次に、本方法例として、上記装置例で述べたＮｏ１〜７までの抵抗体バンクに介設する開閉器、制御器を用いた各抵抗体バンクの電力容量と、負荷の目標値とする負荷制御値とを比較し、最も負荷制御値に近い値を算出することによりに自動的に各抵抗対バンクのＯＮ／ＯＦＦの制御を行う低圧負荷演算制御方法の一連の処理手順を説明する。
【００６１】
　まず、負荷特性試験を行う前に、制御器ＣＶに接続した押しボタンスイッチＳＷをのＵＰ／ＤＯＷＮボタンを押しながら値を増加／減少方向に変化させ、目標値とする負荷制御値を設定する。このとき、押しボタンスイッチＳＷのＵＰ／ＤＯＷＮボタンが押されるたびに、増加／減少方向への変更値は直接、制御器ＣＶにアナログ転送され、制御器ＣＶはＵＰ／ＤＯＷＮ信号を受け取る度に、負荷制御値を制御値記憶演算回路に保持し制御値計測器ＭＶに読み誤りの少ないデジタル表示する。従って、運転後は電力計Ｐの値と制御値計測器ＭＶの値とを目視確認して正常運転を確認し得る。
【００６２】
　負荷制御値の設定後、図示しないボタン又はスイッチにより比較演算の実行を促すと、制御値記憶演算回路ＭＣは比較演算転送回路ＯＣに設定した負荷制御値をアナログ転送する。
【００６３】
　比較演算転送回路ＯＣは、制御値記憶演算回路ＭＣから負荷制御値を受け取ると、等級分割された各抵抗体バンクα１〜α７へのＯＮ／ＯＦＦディジタル信号として転送するために、比較演算を開始する。
【００６４】
　各抵抗体バンクα１〜α７に対応する比較演算転送回路ＯＣ内の第１から第７等級までの演算手順は、表２に示す通りであり、目標値とする負荷制御値をバンク容量の大きいほうから比較し、繰り返し演算をして加算することによって、負荷制御値の設定を行う。
【００６５】
　　【表２】（省略）
【００６６】
　まず、図１の高圧説明対応で言えば、第２演算では、制御値（負荷制御値）とバンクＮｏ１、つまり２０００ｋｗの２分の１である１０００ｋｗとの大小の比較を行う。ここで、制御値の値が１０００ｋｗ以上である場合には、バンクＮｏ１の開閉器（低圧の場合では図４の低圧開閉器ＣＬを採用する）に対し、ＯＮのディジタル信号、反対に負荷制御値の値が１０００ｋｗに満たない場合はＯＦＦのディジタル信号を転送する。
【００６７】
　そして、ディジタル信号がＯＮのときは負荷制御値から２分の１の値を減算し、算出された値を残数値１として保持し、ＯＦＦ状態のときには制御値そのものを残数値１として保持して第２演算へアナログ転送する。
【００６８】
　以下、第２演算以降は第１演算と同様に、表２に示すようにＯＮ、ＯＦＦのディジタル信号を転送しながらバンクＮｏ１からバンクＮｏ７までのＯＮ／ＯＦＦの出力判断を行う。」（段落【００６０】〜【００６８】）
　
　上記記載ａないしｅについて検討する。
　
　上記記載ａによると、本発明の解決すべき主要な目的として、負荷制御値算出を自動化し、負荷制御値に連続的に精度よく追従し、少量の開閉器のみで連続的に負荷を精度よく加減でき、その値を持続できる低圧負荷演算制御方法の実現が挙げられている。そして、上記記載ｂには、課題を解決するための手段として、負荷制御値と各等級の抵抗体バンクに割り振られた電力容量値を比較及び等級毎に減算しながら、負荷制御値の近似値を示す各抵抗体バンクＯＮ／ＯＦＦの組合せを導き出す旨の記載がある。
　上記記載ｃには、少数の開閉器で連続かつ高精度な負荷の加減が、抵抗体バンクと比較転送演算回路を有する制御器の組合せにより可能となる旨の記載がある。
　したがって、上記記載ａないしｃによると、負荷制御値への連続的な追従は、抵抗体バンクと比較転送演算回路を有する制御器の組合せで実現し、その組合せとは、具体的には、各抵抗体バンクＯＮ／ＯＦＦの組合せを指していると認められる。そして、ＯＮ／ＯＦＦの組合せにより得られるのは、そのような組合せの数に応じた、複数の抵抗値である。
　してみれば、上記記載ａないしｃにおける、負荷制御値への「連続的」な「追従」も、各抵抗体のＯＮ／ＯＦＦの組合せから導かれる技術事項に基づくものであるから、当該記載における「連続的」な「追従」とは、各抵抗体の組合せによる抵抗値の値が目標とする負荷制御値へ、より精度良く近づくことを指していると認められる。
　　
　上記記載ｄ及びｅには、本発明の最良形態である低圧負荷演算制御装置例及びこれに対応する低圧負荷演算制御方法について記載されている。そして、これらの記載によると、負荷制御を経時的に繰り返し行う思想は開示されておらず、単に負荷制御値の設定の中において、目標値とする負荷制御値をバンク容量の大きいほうから比較し、「繰り返し」演算をして加算することが記載されているにとどまると解するのが自然である。
　
　以上のように、上記記載ａないしｅによると、本願発明１の低圧負荷演算制御方法において、「経時的な」負荷制御値の変動に対して、自動的に抵抗体バンクのＯＮ／ＯＦＦの組合せを追従調整する技術思想までが開示されていたとは認められない。
　してみると、上記記載ａないしｅの技術的意味は、変動する負荷制御値に対して、あるタイミングで、低圧負荷演算制御装置が有する各抵抗体の組合せによる抵抗値の値を、精度良く近づけて設定することであると認められる。
　他方、引用発明１における「試験抵抗値を連続的に追従調整する」との記載も、試験抵抗値に対して、あるタイミングで精度良く負荷バンク値を設定していると把握するのが自然であり、したがって、本願発明１と引用発明１の当該記載における技術的意味に差異はなく、よって、相違点１は実質的な相違点ではないと認められる。
　
（イ）相違点２について
　
　前記「２．（３）エ（イ）相違点２について」と同様の理由により、当業者ならば適宜なし得たことである。
　
（ウ）相違点３について
　
　前記「２．（３）エ（ウ）相違点３について」と同様の理由により、当業者ならば適宜なし得たことである。
　
（エ）相違点４について
　前記「２．（３）エ（エ）相違点４について」と同様の理由により、当業者ならば適宜なし得たことである。
　
エ　むすび
　したがって、本願発明１は、引用発明１に基づいて当業者が容易に発明をすることができたものであるから、特許法第２９条第２項の規定により特許を受けることができないものである。
　
（２）本願発明２について
　
　次に、本願発明２についても検討しておく。
　
ア　引用例記載の事項・引用発明２
　引用例「負荷試験装置」（発明の名称）に記載された事項は、前記「２．（３）イ　引用例記載の事項・引用発明１」に記載の（ア）ないし（カ）のとおりである。　
　
・記載（ア）から、
ａ「発電機の負荷試験」が読みとれる。
　
・記載（オ）における、試験用負荷として投入される抵抗器群Ｒ１〜Ｒ８について、抵抗器（１）から抵抗器（８）までの抵抗器は、それぞれの抵抗値をｒ1、ｒ2、ｒ3、ｒ4、ｒ5、ｒ6、ｒ7、ｒ8とすると、６４ｒ1＝３２ｒ2＝１６ｒ3＝８ｒ4＝４ｒ5＝４ｒ6＝２ｒ7＝ｒ8の関係が成り立つ構成として、例えば、ある試験電力値において、抵抗器群Ｒ１の負荷値が０．２５ｋｗであるとすると、Ｒ２は０．５ｋｗ、Ｒ３は１ｋｗ、Ｒ４は２ｋｗ、Ｒ５及びＲ６は４ｋｗ、Ｒ７は８ｋｗ、Ｒ８は１６ｋｗとなり、これらを適宜組み合わせることによって多様な負荷を生成することができる旨の記載から、
ｂ「抵抗器群Ｒ１〜Ｒ８を構成する複数の抵抗器」及び、「抵抗値が上位から下位等級に順次漸減された複数の抵抗器からなる抵抗器群Ｒ１〜Ｒ８」が読みとれる。
　
・記載（カ）における、プログラマブル・コントローラ１３における試験負荷の生成に用いられる抵抗器の選択手順の一例として、試験対象発電機６の定格負荷値と試験電力値とから試験抵抗値を、負荷試験装置自体の定格電圧値である２０８Ｖ換算の負荷容量として算出する旨の記載から、
ｃ「試験抵抗値を負荷容量として算出」する構成が読みとれる。
　
・記載（ウ）における、換算試験負荷と、記憶してある前記各抵抗器の電力値データとを比較して、換算試験負荷値と選択された電力値データとの差を求め、この差と、記憶してある前記各抵抗器の電力値データとを比較して、電力値データのうち、この差より小さく、かつ最も大きな値のものを選択し、当該換算試験負荷値とこの差との差を新たに算出することを繰り返して行き、新たに算出された差よりも、電力値データのいずれもが大きい状態になった時点で比較を終了し、選択された各電力値データに対応する抵抗器を試験負荷形成のためのものとして選択する旨の記載と、
　記載（エ）における、演算手段が自動的に試験負荷を算出し、さらに、その試験において使用する抵抗器を自動的に選択する旨の記載、及び、
　記載（カ）における、試験抵抗値と等しい、あるいは許容される範囲において近似する抵抗値となる抵抗器またはその組み合わせを選択する旨の記載から、
ｄ「試験抵抗値と等しい、あるいは許容される範囲において近似する抵抗値となる抵抗器を自動的に選択し、選択された抵抗器に対応するものを作動させ、抵抗器と試験対象発電機の間の電路を閉じる」構成が読みとれる。
　
・記載（オ）における、抵抗値が上位から下位等級に順次漸減された複数の抵抗器を組み合わせることによって多様な負荷を生成でき、抵抗値の関係は、細かい負荷設定ができるように、異なる抵抗値を有する組み合わせたものであれば良いとして、さらに、抵抗器群の数も８つに限られるものではなく、例えば、さらに微細な負荷調整が必要であれば、それに応じて抵抗器群の数を増やしても良い旨の記載と、
　記載（カ）における、試験抵抗値と等しい、あるいは許容される範囲において近似する抵抗値となる抵抗器またはその組み合わせを選択する旨の記載、及び、
　記載（エ）における、演算手段が自動的に試験負荷を算出し、さらに、その試験において使用する抵抗器を自動的に選択する旨の記載から、
ｅ「試験抵抗値を連続的に追従調整する」構成が読みとれる。
　
・記載（イ）には、負荷試験装置において、従来より抵抗器を並列接続する旨の記載があり、本願発明の実施形態の概略の回路図を示した図１においても、抵抗器は冷却用ファン及び制御回路用電源５にケーブルを介して並列接続されていることから、
ｆ「冷却用ファン及び制御回路用電源５にケーブルを介して並列接続された抵抗器群」の構成が読みとれる。
　
・記載（オ）における、抵抗器（１）から抵抗器（８）までの抵抗器が、それぞれの抵抗値をｒ1、ｒ2、ｒ3、ｒ4、ｒ5、ｒ6、ｒ7、ｒ8とすると、６４ｒ1＝３２ｒ2＝１６ｒ3＝８ｒ4＝４ｒ5＝４ｒ6＝２ｒ7＝ｒ8の関係が成り立つ構成とする旨の記載から、
ｇ「抵抗器群を構成する各抵抗器は、２進法に基づき、順次漸減した抵抗値を割り当てられている」構成が読みとれる。
　
・記載（カ）において、プログラマブル・コントローラ１３は、電磁接触器等の制御回路１１を介して各抵抗器に接続しており、また、負荷試験に必要な抵抗値を計算することから、
ｈ「各抵抗器に接続されたプログラマブル・コントローラ１３は、負荷試験に必要な抵抗値を算出する」構成が読みとれる。
　
・記載（カ）より、プログラマブル・コントローラ１３は試験負荷を生成し、負荷値と負荷バンク値の比較という演算を行っていることから、プログラマブル・コントローラ１３は、演算手段と、そのための回路を有していると認められることから、
ｉ「プログラマブル・コントローラ１３の回路内の演算手段」という構成が読みとれる。
　
・記載（カ）より、プログラマブル・コントローラ１３は、試験負荷を生成した後、試験抵抗値（必要負荷容量）より小さいことを条件として、抵抗器の抵抗値データのある負荷バンクの中から最も値の大きい負荷バンク値を選択し、これをメモリし、試験抵抗値から選択した負荷バンク値を差し引いて、この差を残り負荷値としていることから、
ｊ「最も値の大きい負荷バンクが保持する負荷バンク値と、試験抵抗値を比較し、当該試験抵抗値が当該負荷バンク値以上であれば、試験抵抗値から選択した負荷バンク値を差し引き、この差を残り負荷値としてメモリする」構成が認められる。
　
・記載（カ）及び図７から、プログラマブル・コントローラ１３は、試験抵抗値（必要負荷容量）より小さいことを条件として、抵抗器の抵抗値データのある負荷バンクの中から最も値の大きい負荷バンク値を選択し、これをメモリする（Ｓ１２）。次に、試験抵抗値から選択した負荷バンク値を差し引き、この差を残り負荷値とする（Ｓ１３）。残り負荷値と最小負荷バンク値とを比較し、残り負荷値が最小負荷バンク値よりも小さい場合は、Ｓ１５に行き、大きい場合はＳ１７に行く（Ｓ１４）。残り負荷値が最小負荷バンク値よりも小さい場合は、当該負荷バンク値に対応するすべての抵抗器の投入指令を電磁接触器等の制御回路１１に出力する（Ｓ１５）。投入指令を受けた電磁接触器等の制御回路１１は、電磁接触器Ｍ１〜Ｍ８の中から選択された抵抗器に対応するものを作動させ、抵抗器と試験対象発電機の間の電路を閉じる（Ｓ１６）。なお、残り負荷値が最小負荷バンク値よりも大きい場合は、選択されていない別の負荷バンク値のうち、残り負荷値より小さいことを条件として、最も値の大きい負荷バンク値を選択し、これをメモリする（Ｓ１７）。この場合、Ｓ１３に戻る、との構成を有することから、
ｋ「プログラマブル・コントローラ１３は、荷バンクの中から値の大きい負荷バンク値を選択し、試験抵抗値から選択した負荷バンク値を差し引き、選択されていない負荷バンク値の中から残り負荷値よりも小さく、かつ最も大きいものを選択し、残り負荷値から選択した負荷バンク値を差し引き、その値をメモリし、残り負荷値が最小負荷バンク値よりも小さくなった場合には、当該負荷バンク値に対応するすべての抵抗器の投入指令を電磁接触器等の制御回路１１に出力する」構成が読みとれる。
　
・記載（オ）における、電磁接触器Ｍ１〜Ｍ８は、試験用負荷として投入される抵抗器群Ｒ１〜Ｒ８と試験対象発電機６とを接続する電路を開閉するように設けられている旨の記載から、
ｌ「抵抗器群Ｒ１〜Ｒ８に対し電磁接触器Ｍ１〜Ｍ８を介する」構成が読みとれる。
　
　以上の技術事項ａないしｌを総合勘案すると、引用例には次の発明が記載されているものと認められる。
　
「発電機の負荷試験に関して、抵抗器群Ｒ１〜Ｒ８を構成する複数の抵抗器において、抵抗値を負荷容量として算出し、上位から下位等級に順次漸減された抵抗値を各抵抗器に割り当てし、試験抵抗値と等しい、あるいは許容される範囲において近似する抵抗値となる抵抗器を上位から下位等級に順次自動的に選択し、選択された抵抗器と試験対象発電機の間の電路を閉じる、試験抵抗値と等しい、あるいは許容される範囲において近似する抵抗値を設定する、試験抵抗値を連続的に追従調整する負荷演算制御方法であって、
　冷却用ファン及び制御回路用電源５にケーブルを介して並列接続された抵抗器群であって、抵抗器群を構成する各抵抗器は、２進法に基づき、順次漸減した抵抗値を割り当てられ、
　各抵抗器に接続されたプログラマブル・コントローラ１３は、負荷試験に必要な抵抗値を算出し、プログラマブル・コントローラ１３内の回路内の演算手段により、最も値の大きい負荷バンクが保持する負荷バンク値と、試験抵抗値を比較し、当該試験抵抗値が当該負荷バンク値以上であれば、試験抵抗値から選択した負荷バンク値を差し引き、この差を残り負荷値としてメモリし、負荷バンクの中から次に値の大きい負荷バンク値を選択し、試験抵抗値から選択した負荷バンク値を差し引き、その値をメモリし、選択されていない負荷バンク値の中から残り負荷値よりも小さく、かつ最も大きいものを選択し、残り負荷値から選択した負荷バンク値を差し引き、残り負荷値が最小負荷バンク値よりも小さくなった場合には、当該負荷バンク値に対応するすべての抵抗器の投入指令を電磁接触器等の制御回路１１に出力し、
　抵抗器群Ｒ１〜Ｒ８に対し電磁接触器Ｍ１〜Ｍ８を介する、
　負荷演算制御方法。」（以下、「引用発明２」という。）
　
イ　対比
　本願発明２と引用発明２を比較する。
　
（ア）前記「２．（３）ウ（ア）」で説示したと同様に、引用発明２における「発電機」、「負荷試験」、「抵抗器群Ｒ１〜Ｒ８」、「抵抗器」又は「負荷バンク」、「負荷容量」、「冷却用ファン及び制御回路用電源５」、「ケーブル」、「並列接続」、「電磁接触器Ｍ１〜Ｍ８」、「プログラマブル・コントローラ１３」、「最も値の大きい負荷バンク」、「差し引き」、「メモリ」、及び「残り抵抗値」は、それぞれ、
　本願発明２における「発電機」、「負荷特性試験」、「抵抗体バンク群」、「抵抗体バンク」、「電力容量」、「電源装置」、「電力ケーブル」、「並列接続」、「開閉器」、「制御器」、「第１の抵抗体バンク」、「減算」「記憶保持」、及び「残数値」に相当する。
　
（イ）前記「２．（３）ウ（イ）」で説示したと同様に、引用発明２における抵抗器群Ｒ１〜Ｒ８は、複数の抵抗器（抵抗器Ｒ１、抵抗器Ｒ２、・・・抵抗器Ｒ８）から成っており、それらの抵抗器の抵抗値も上位から下位等級に順次漸減している。そして、引用発明２においては、抵抗値を負荷容量として算出していることから、引用発明２における各抵抗器も、所定の抵抗値に対応する負荷容量が割り当てられている。
　したがって、引用発明２における「抵抗値を負荷容量として算出し、抵抗器群Ｒ１〜Ｒ８を構成する複数の抵抗器において、上位から下位等級に順次漸減された抵抗値を各抵抗器に割り当て」る構成は、本願発明２における「抵抗体バンク群を複数に分割するに際して、全抵抗体の電気容量を比較演算より上位から下位等級に順次漸減算出された各抵抗体バンクに分割、割り当て」る構成に相当するといえる。
　
（ウ）前記「２．（３）ウ（ウ）」で説示したと同様に、引用発明２における「試験抵抗値」は、試験対象発電機の定格電圧値及び定格電力値と、試験電力値から自動的に算出される抵抗であり、電力値に比例することから、実質的には電力容量も規定していることになる。
　他方、本願発明２における「負荷制御値」は、電力容量（ｋｗ）を指している。
　したがって、引用発明２における「試験抵抗値」は、本願発明２における「負荷制御値」に相当するといえる。
  
（エ）前記「２．（３）ウ（エ）」で説示したと同様に、引用発明２における「等しい、あるいは許容される範囲において近似する抵抗値となる」との記載は、本願発明２における、設定目標とする負荷制御値についての「近似値をとるため」との記載に相当するといえる。
　
（オ）前記「２．（３）ウ（オ）」及び「２．（３）ウ（カ）」で説示したと同様に、引用発明２における、抵抗器と試験対象発電機の間の電路を閉じる構成は、本願発明２における「抵抗体バンク」を「ＯＮ」にする構成に相当するといえる。
　また、引用発明２における抵抗器群の中の抵抗器と試験対象発電機の間の電路を選択的に閉じることにより、抵抗器群による全体の抵抗値は加減算出される。
　したがって、引用発明２における「抵抗器を上位から下位等級に順次自動的に選択し、選択された抵抗器と試験対象発電機の間の電路を閉じる」との記載は、本願発明２の「上位から下位等級に亙り順次前記各抵抗体バンクのＯＮ／ＯＦＦの組合せを自動的に調整して加減算する」との記載に相当するといえる。
 
（カ）前記「２．（３）ウ（キ）」で説示したと同様に、引用発明２の「負荷演算制御方法」について、引用例の上記記載（ｂ）には、抵抗器の負荷値として０．５ｋｗ、１ｋｗ、２ｋｗ、４ｋｗ、８ｋｗ、１６ｋｗの組合せが挙げられている。
　また、本願発明２の「低圧負荷演算制御装置」に関して、本願の当初明細書等の段落【００４６】ないし【００５１】には、抵抗体バンクの最小値として１５．６２５ｋｗが用いられ、低圧の場合には、それらの設定数値をさらに低圧領域に下げて、よりきめ細かい微少制御を行うことができると記載されている。そして、引用発明２の「負荷演算制御方法」における抵抗器の負荷値の値は、補正発明の「低圧負荷演算制御方法」に関して、当初明細書等に記載された抵抗体バンクの最小値と同程度か、あるいはそれよりも小さい値であるから、引用発明２の「負荷演算制御方法」も、本願発明２と同程度の「低圧」負荷は演算制御できるものと認められる。
　したがって、引用発明２の「負荷演算制御方法」は、本願発明２の「低圧負荷演算制御方法」に相当するといえる。
　
（キ）前記「２．（３）ウ（ク）」で説示したと同様に、引用発明２における「試験抵抗値を連続的に追従調整する負荷演算制御方法」も、本願発明２における「変動する負荷制御値を連続的に追従調整する低圧負荷演算制御方法」も、共に「負荷制御値を連続的に追従調整する低圧負荷演算制御方法」である点で共通する。
　
（ク）前記「２．（３）ウ（ケ）」で説示したと同様に、引用発明２における「冷却用ファン及び制御回路用電源５にケーブルを介して並列接続された抵抗器群」は、本願発明２における「電源装置に電力ケーブルを介して並列接続された前記抵抗体バンク群」に相当するといえる。
　
（ケ）前記「２．（３）ウ（コ）」及び「２．（３）ウ（サ）」で説示したと同様に、引用発明２における「抵抗器群を構成する各抵抗器は、２進法に基づき、順次漸減した抵抗値を割り当てられ」との記載において、各抵抗器の抵抗値は、抵抗器群全体の抵抗値から割り当てられていると認められ、また、上記（ウ）で述べたように、引用発明２においては、抵抗値を負荷容量として算出しており、引用発明２における各抵抗器も、所定の抵抗値に対応する負荷容量が割り当てられている。
　したがって、引用発明２における当該記載は、本願発明２における「抗体バンク群を複数（２〜Ｎ［Ｎは自然数］）に分割した後、当該抵抗体バンク群の全最大電力容量を２進法に基づき、２分の１から２ｎ−１分の１に相当する電力容量の上位から下位等級に順次漸減算出された値を分割された第１から第Ｎの各抵抗体バンクに割り当て」との記載に相当するといえる。
　
（コ）引用発明２における「各抵抗器に接続されたプログラマブル・コントローラ１３」による「負荷試験に必要な抵抗値を算出」は、本願発明２における「各抵抗体バンクに接続された制御手段」による「目標値とする負荷制御値を設定」に相当するといえる。
　
（サ）引用発明２における「プログラマブル・コントローラ１３内の回路内の演算手段」は、本願発明２における「当該制御手段内の」「回路内の」「演算手段」に相当する。
　
（シ）前記「２．（３）ウ（ス）」で説示したと同様に、引用発明２における「最も値の大きい負荷バンクが保持する負荷バンク値と、試験抵抗値を比較し、当該試験抵抗値が当該負荷バンク値以上であれば、試験抵抗値から選択した負荷バンク値を差し引き、この差を残り負荷値としてメモリ」する構成は、本願発明２における「第１の前記抵抗体バンクが保持する電力容量と、前記負荷制御値を比較し、当該負荷制御値が当該電力容量以上であれば、当該電力容量を当該負荷制御値から減算したものを残数値として、前記制御手段にて記憶保持」する構成に相当するといえる。
　
（ス）前記「２．（３）ウ（ス）」で説示したと同様に、引用発明２における「プログラマブル・コントローラ１３」が「選択されていない負荷バンク値の中から残り負荷値よりも小さく、かつ最も大きいものを選択し、残り負荷値から選択した負荷バンク値を差し引き」する構成は、順次大きい負荷値から小さい負荷値へと、残り負荷値と負荷バンク値を比較し、そして、差し引きした負荷値との比較を繰り返すことから、
　本願発明２における「制御手段」が「前記第２の演算から第Ｎの演算まで、次上位の演算手段より受け取った前記残数値又は前記負荷制御値と、次下位等級の抵抗体バンクの電力容量とを順次比較してゆき、当該残数値が各対応する当該抵抗体バンクの電力容量以上であれば、当該電力容量を当該残数値からその都度減算」する構成、及び、「前記次上位等級から受け取った前記残数値又は前記負荷制御値が前記次下位等級の抵抗体バンクの前記電力容量以下であれば、当該次上位等級残数値を次下位等級残数値として演算手段で逐次実施」する構成に相当するといえる。
　
（セ）引用発明２における「抵抗器の投入指令を電磁接触器等の制御回路１１に出力する」構成は、本願発明２における「抵抗体バンク」に「ＯＮ状態を示すディジタル信号を転送する」構成に相当する。
　
（ソ）上記（コ）ないし（セ）より、引用発明２における「各抵抗器に接続されたプログラマブル・コントローラ１３は、負荷試験に必要な抵抗値を算出し、プログラマブル・コントローラ１３内の演算手段により、最も値の大きい負荷バンクが保持する負荷バンク値と、試験抵抗値を比較し、当該試験抵抗値が当該負荷バンク値以上であれば、試験抵抗値から選択した負荷バンク値を差し引き、この差を残り負荷値としてメモリし、負荷バンクの中から次に値の大きい負荷バンク値を選択し、試験抵抗値から選択した負荷バンク値を差し引き、その値をメモリし、選択されていない負荷バンク値の中から残り負荷値よりも小さく、かつ最も大きいものを選択し、残り負荷値から選択した負荷バンク値を差し引き、残り負荷値が最小負荷バンク値よりも小さくなった場合には、当該負荷バンク値に対応するすべての抵抗器の投入指令を電磁接触器等の制御回路１１に出力する」構成も、
　本願発明２における「前記各抵抗体バンクに接続された制御手段で、目標値とする負荷制御値を設定後、当該制御手段内の比較演算転送回路内の第１の演算手段にて、当該第１の演算手段に対応する第１の前記抵抗体バンクが保持する電力容量と、前記負荷制御値を比較し、当該負荷制御値が当該電力容量以上であれば、当該電力容量を当該負荷制御値から減算したものを残数値として、前記制御手段にて記憶保持するとともに第２の演算手段に残数値をアナログ転送し、前記第１の抵抗体バンクにＯＮ状態を示すディジタル信号を転送する一方、当該負荷制御値が当該電力容量以下であれば、当該負荷制御値を第２の演算手段にアナログ転送し、
　以下、前記第２の演算から第Ｎの演算まで、次上位の演算手段より受け取った前記残数値又は前記負荷制御値と、次下位等級の抵抗体バンクの電力容量とを順次比較してゆき、当該残数値が各対応する当該抵抗体バンクの電力容量以上であれば、当該電力容量を当該残数値からその都度減算し、次下位等級残数値として記憶保持し次下位等級の演算手段に当該下位残数値をアナログ転送するとともに、当該各第２から第Ｎの演算手段に各対応した前記抵抗体バンクに対し、ＯＮ状態を示すディジタル信号を転送する一方、前記次上位等級から受け取った前記残数値又は前記負荷制御値が前記次下位等級の抵抗体バンクの前記電力容量以下であれば、当該次上位等級残数値を次下位等級残数値として次下位等級の演算手段にアナログ転送して逐次実施する」構成も、共に、
　「前記各抵抗体バンクに接続された制御手段で、目標値とする負荷制御値を設定後、当該制御手段内の回路内の演算手段にて、第１の前記抵抗体バンクが保持する電力容量と、前記負荷制御値を比較し、当該負荷制御値が当該電力容量以上であれば、当該電力容量を当該負荷制御値から減算したものを残数値として、前記制御手段にて記憶保持し、当該負荷制御値が当該電力容量以下であれば、第２の演算から第Ｎの演算まで、次上位の演算手段より受け取った前記残数値又は前記負荷制御値と、次下位等級の抵抗体バンクの電力容量とを順次比較してゆき、当該残数値が各対応する当該抵抗体バンクの電力容量以上であれば、当該電力容量を当該残数値からその都度減算し、次下位等級残数値として記憶保持し、前記抵抗体バンクに対し、ＯＮ状態を示すディジタル信号を転送する一方、前記次上位等級から受け取った前記残数値又は前記負荷制御値が前記次下位等級の抵抗体バンクの前記電力容量以下であれば、当該次上位等級残数値を次下位等級残数値として演算手段で逐次実施する」点で共通する。
　
（タ）引用発明２における「抵抗器群Ｒ１〜Ｒ８に対し電磁接触器Ｍ１〜Ｍ８を介する」との構成も、本願発明２における「低圧負荷状態において、開閉頻度の高い小容量抵抗体バンクに対し半導体開閉手段を介し、抵抗体バンクの負荷を軽減させる」との構成も、共に「抵抗体バンクに開閉手段を介する」点で共通する。
　
　してみると、両者は、
（一致点）
「発電機の負荷特性試験に関して、抵抗体バンク群を複数に分割するに際し、全抵抗体の電力容量を比較演算より上位から下位等級に順次漸減算出された各抵抗体バンクに分割、割り当てし、設定目標とする値の近似値をとるため上位から下位等級に亙り順次前記各抵抗体バンクのＯＮ／ＯＦＦの組合せを自動的に調整して加減算することにより、負荷制御値を連続的に追従調整する低圧負荷演算制御方法であって、
　まず、電源装置に電力ケーブルを介して並列接続された前記抵抗体バンク群を複数（２〜Ｎ［Ｎは自然数］）に分割した後、当該抵抗体バンク群の全最大電力容量を２進法に基づき、２分の１から２ｎ−１分の１に相当する電力容量の上位から下位等級に順次漸減算出された値を分割された第１から第Ｎの各抵抗体バンクに割り当て、
　前記各抵抗体バンクに接続された制御手段で、目標値とする負荷制御値を設定後、当該制御手段内の回路内の演算手段にて、第１の前記抵抗体バンクが保持する電力容量と、前記負荷制御値を比較し、当該負荷制御値が当該電力容量以上であれば、当該電力容量を当該負荷制御値から減算したものを残数値として、前記制御手段にて記憶保持し、当該負荷制御値が当該電力容量以下であれば、第２の演算から第Ｎの演算まで、次上位の演算手段より受け取った前記残数値又は前記負荷制御値と、次下位等級の抵抗体バンクの電力容量とを順次比較してゆき、当該残数値が各対応する当該抵抗体バンクの電力容量以上であれば、当該電力容量を当該残数値からその都度減算し、次下位等級残数値として記憶保持し、前記抵抗体バンクに対し、ＯＮ状態を示すディジタル信号を転送する一方、前記次上位等級から受け取った前記残数値又は前記負荷制御値が前記次下位等級の抵抗体バンクの前記電力容量以下であれば、当該次上位等級残数値を次下位等級残数値として演算手段で逐次実施し、
抵抗体バンクに開閉手段を介する、
低圧負荷演算制御方法。」で一致し、以下の点で相違する。
　
（相違点）
ａ　相違点１：負荷制御値の連続的な追従調整について
　
　本願発明２では、「変動する負荷制御値を連続的に追従調整する」のに対して、引用発明２では、「試験抵抗値を連続的に追従調整する」としている点。
　
ｂ　相違点２：制御器内の回路による演算について
　
　本願発明２では、「前記各抵抗体バンクに接続された制御手段で、目標値とする負荷制御値を設定後、当該制御手段内の比較演算転送回路内の第１の演算手段にて、当該第１の演算手段に対応する第１の前記抵抗体バンクが保持する電力容量と、前記負荷制御値を比較し、当該負荷制御値が当該電力容量以上であれば、当該電力容量を当該負荷制御値から減算したものを残数値として、前記制御手段にて記憶保持するとともに第２の演算手段に残数値をアナログ転送し、前記第１の抵抗体バンクにＯＮ状態を示すディジタル信号を転送する一方、当該負荷制御値が当該電力容量以下であれば、当該負荷制御値を第２の演算手段にアナログ転送し、
　以下、前記第２の演算から第Ｎの演算まで、次上位の演算手段より受け取った前記残数値又は前記負荷制御値と、次下位等級の抵抗体バンクの電力容量とを順次比較してゆき、当該残数値が各対応する当該抵抗体バンクの電力容量以上であれば、当該電力容量を当該残数値からその都度減算し、次下位等級残数値として記憶保持し次下位等級の演算手段に当該下位残数値をアナログ転送するとともに、当該各第２から第Ｎの演算手段に各対応した前記抵抗体バンクに対し、ＯＮ状態を示すディジタル信号を転送する一方、前記次上位等級から受け取った前記残数値又は前記負荷制御値が前記次下位等級の抵抗体バンクの前記電力容量以下であれば、当該次上位等級残数値を次下位等級残数値として次下位等級の演算手段にアナログ転送して逐次実施する」とあるように、
　制御器中には「比較演算転送回路」が設けられ、さらに、当該回路内には各抵抗体バンクに対応した「第１から第Ｎまでの演算手段」が設けられており、各演算手段からの残数値は「アナログ転送」により、次下位等級の演算手段に渡され、各演算手段が、それぞれ演算処理を終えた段階で、「逐次」抵抗体バンクへ信号を転送するのに対して、
　引用発明２では、「各抵抗器に接続されたプログラマブル・コントローラ１３は、負荷試験に必要な抵抗値を算出し、プログラマブル・コントローラ１３内の回路内の演算手段により、最も値の大きい負荷バンクが保持する負荷バンク値と、試験抵抗値を比較し、当該試験抵抗値が当該負荷バンク値以上であれば、試験抵抗値から選択した負荷バンク値を差し引き、この差を残り負荷値としてメモリし、負荷バンクの中から次に値の大きい負荷バンク値を選択し、試験抵抗値から選択した負荷バンク値を差し引き、その値をメモリし、選択されていない負荷バンク値の中から残り負荷値よりも小さく、かつ最も大きいものを選択し、残り負荷値から選択した負荷バンク値を差し引き、残り負荷値が最小負荷バンク値よりも小さくなった場合には、当該負荷バンク値に対応するすべての抵抗器の投入指令を電磁接触器等の制御回路１１に出力する」とあるように、
　プログラマブル・コントローラ１３内には、比較演算のための回路が設けられているものの、当該回路内における演算手段の具体的な配置構成は明らかでなく、さらに、演算手段が複数設けられる場合には、当該演算手段間におけるデータ転送の方法も明らかではなく、また、プログラマブル・コントローラ１３は、「当該負荷バンク値に対応するすべての抵抗器の投入指令を電磁接触器等の制御回路１１に出力する」とあるように、抵抗器の選択を全て終えた段階で、選択された抵抗器と試験対象発電機との間の電路を閉じている点。
　
　　
ｃ　相違点３：小容量抵抗体バンクへの開閉手段の介設について
　
　本願発明２では、「低圧負荷状態において、開閉頻度の高い小容量抵抗体バンクに対し半導体開閉手段を介し、抵抗体バンクの負荷を軽減させる」とあるように、低圧負荷状態において、開閉頻度の高い小容量抵抗体バンクに対し半導体開閉手段を介し、抵抗体バンクの負荷を軽減させるのに対して、引用発明２では、抵抗器群Ｒ１〜Ｒ８には、いずれも、電磁接触器を介している点。
　
ウ　判断
　本願発明２と引用発明２の相違点について検討する。
　
（ア）相違点１について
　
　前記「３．（１）ウ（ア）相違点１について」と同様の理由により、相違点１は実質的な相違点ではない。
　
（イ）相違点２について
　
　電子回路は、当該電子回路の機能に応じて当業者が設計するが、引用発明２のプログラマブル・コントローラ１３内の回路内の演算手段は、負荷バンク毎に残り負荷値からの差し引きやメモリなどの演算処理を行っており、その機能は、本願発明２における比較演算転送回路内に設けられた第１から第Ｎまでの演算手段が回路全体として行う演算処理と同等である。
　ここで、回路内の演算手段を処理対象に応じて複数設けることは、例示するまでもなく周知の技術であるから、引用発明２のプログラマブル・コントローラ１３内の回路内の演算手段においても、演算対象となる負荷バンク毎に演算手段を設け演算処理を行い、演算手段間で負荷値をアナログ転送することは、当業者ならば適宜なし得た事項に過ぎない。
　また、本願発明２において、各演算手段から抵抗体バンクへの信号の転送は、各演算手段がそれぞれ演算処理を終えた段階で「逐次」転送する構成としているが、これに関連して、本願明細書の段落【００６９】には、「第一演算から第七演算までの周期を約０．１秒以内に完了させることにより、ＯＮ／ＯＦＦ信号をほぼ同時に出力することが必要である。」との記載がある。当該記載からは、本願発明２においても、抵抗体バンクへの信号の転送は、逐次実施しつつも、全体として「ほぼ同時」に出力することの必要性が認められることから、抵抗体バンクへの信号の転送はほぼ同時に行われていると認められる。
　他方、引用発明２のプログラマブル・コントローラ１内の回路内に設けられた負荷バンク毎の演算手段も、抵抗器の選択を全て終えた段階で、選択された抵抗器と試験対象発電機との間の電路を閉じる構成を有していることから、選択された抵抗器と試験対象発電機との間の電路をほぼ同時に閉じていると認められる。
　したがって、引用発明２のプログラマブル・コントローラ１３と、本願発明２の制御手段のいずれも、ほぼ同時に前記抵抗体バンクに対してＯＮ状態を示すディジタル信号を転送すると認められる。
　してみれば、得られた信号の転送は、それを演算を終えた都度に行うか、あるいは、全ての演算を終えた後に行うかによらず、その機能は実質的に同じであると認められ、転送タイミングの相違は、単なる設計上の問題に過ぎない事項といえる。
　したがって、引用発明２における、プログラマブル・コントローラ１３内の回路内に設けられた演算手段において、各演算手段がそれぞれ演算処理を終えた段階で、ほぼ同時ながら「逐次」転送する構成を採用することも、当業者ならば適宜なし得た設計事項に過ぎない。
　
（ウ）相違点３について
　前記「２．（３）エ（エ）相違点４について」と同様の理由により、当業者ならば適宜なし得たことである。
　
　さらに、本願発明２の作用効果も、引用発明２から当業者が予測可能なものであって、格別のものではない。
　
エ　むすび
　したがって、本願発明２は引用発明２に基づいて当業者が容易に発明をすることができたものであるから、特許法第２９条第２項の規定により特許を受けることができないものである。
　
（３）むすび
　以上のとおり、本願発明１（請求項５に係る発明）は、引用発明１に基づいて当業者が容易に発明をすることができたものであり、また、本願発明２（請求項１に係る発明）は、引用発明２に基づいて当業者が容易に発明をすることができたものであるから、いずれも、特許法第２９条第２項の規定により特許を受けることができない。
　
　したがって、他の請求項に係る発明について審理するまでもなく、本願は拒絶すべきものである。
　
　よって、結論のとおり審決する。